(57)【要約】  官能化された布地処理剤を使用して親油性流体を浄化する方法。官能化された布地処理剤は、非水性布地物品処理方法において布地処理効果を送達でき、布地物品処理プロセスの後で非水性溶媒から容易に除去できるように設計されている。この方法によって洗濯汚れも除去できる。本発明はまた、官能化された布地処理剤を含有する布地処理組成物に関する。【特許請求の範囲】
【請求項１】
（ａ）親油性流体、及び１以上の官能性部分を有する少なくとも１つの最初の布地処理剤を含む混合物を得る工程；
（ｂ）前記最初の布地処理剤を変性することによって、前記最初の布地処理剤を変性された布地処理剤に変換する工程；並びに
（ｃ）変性された布地処理剤を前記親油性流体から分離する工程
を含み、前記最初の布地処理剤及び前記変性された布地処理剤が、分子量、極性、親油性流体との相容性、又はこれらの組み合わせにおいて異なる、親油性流体を浄化するための方法。
【請求項２】
前記変性工程（ｂ）が、官能性部分との化学反応を含み、それによって前記最初の布地処理剤が変性された布地処理剤に変換される、請求項１に記載の方法。
【請求項３】
前記混合物が、工程（ｂ）における化学反応によって変性された洗濯汚れに変換され得る洗濯汚れをさらに含み、前記洗濯汚れ及び前記変性された洗濯汚れが、分子量、極性、親油性流体との相容性、又はこれらの組み合わせにおいて異なる、請求項１に記載の方法。
【請求項４】
前記官能性部分が、アセタール類、ケタール類、オルトエステル類、アミド類、イミド類、エステル類、炭酸塩類、エステル−四級窒素、アルケニル類、ヒドロキシル類、アルデヒド類、保護ヒドロキシル類、カルボン酸類、水素リン酸エステル類、エーテル類、アミン類、Ｓｉ−Ｏ−、Ｓｉ−Ｏ−Ｓｉ、Ｓｉ−ハロゲン及びこれらの混合物から成る群から選択される、請求項１〜３のいずれか１項に記載の方法。
【請求項５】
前記変性工程（ｂ）が、酸化、放射線開裂、誘導体化、水素添加、還元、溶媒化分解、加水分解、重合、中和、生物剤による消化及びこれらの組み合わせから成る群から選択される化学反応である、請求項１〜４のいずれか１項に記載の方法。
【請求項６】
前記加水分解が、酸加水分解、塩基加水分解、酵素加水分解及びこれらの組み合わせから成る群から選択される、請求項１〜５のいずれか１項に記載の方法。
【請求項７】
前記誘導体化が、エステル化、アシル化、アルキル化、アミド化及びこれらの組み合わせから成る群から選択される、請求項１〜６のいずれか１項に記載の方法。
【請求項８】
前記分離工程（ｃ）が、沈殿；沈降；遠心分離；デカンテーション；微粒子濾過；膜濾過；吸収剤、吸着剤、光触媒、又はこれらの混合物への暴露；磁気分離；温度変化；液液抽出；及びこれらの組み合わせから成る群から選択される、請求項１〜７のいずれか１項に記載の方法。
【請求項９】
前記布地処理剤が、ポリマー鎖主鎖及び／又はポリマー鎖末端部に位置する官能性部分を１以上有するポリマーである、請求項１〜８のいずれか１項に記載の方法。
【請求項１０】
前記官能性部分が、アセタール類、ケタール類、オルトエステル類、アミド類、イミド類、エステル類、炭酸塩類、エステル−四級窒素、アルケニル類、ヒドロキシル類、アルデヒド類、保護ヒドロキシル類、カルボン酸類、水素リン酸エステル類、エーテル類、アミン類及びこれらの混合物から成る群から選択される、請求項１〜９のいずれか１項に記載の方法。
【請求項１１】
前記親油性流体が、直鎖又は環状シロキサン類、グリコールエーテル類、グリセリンエーテル類、炭化水素類、フルオロカーボン類、クロロカーボン類及びこれらの混合物から成る群から選択される、請求項１〜１０のいずれか１項に記載の方法。
【請求項１２】
１以上の官能性部分を含有する最初の形態；及び
非水性布地処理方法に使用される非水性媒体からの前記布地処理剤の分離を増進することができる変性された形態
を有する布地処理剤を含み、
前記最初の形態及び変性された形態が、分子量、極性、非水性媒体との相容性、又はこれらの組み合わせにおいて異なる、非水性布地処理方法に使用するのに好適な布地ケア組成物。
【請求項１３】
前記官能性部分が、アセタール類、ケタール類、オルトエステル類、アミド類、イミド類、エステル類、炭酸塩類、エステル−四級窒素、アルケニル類、ヒドロキシル類、アルデヒド類、保護ヒドロキシル類、カルボン酸類、水素リン酸エステル類、エーテル類、アミン類、Ｓｉ−Ｏ−、Ｓｉ−Ｏ−Ｓｉ、Ｓｉ−ハロゲン及びこれらの混合物から成る群から選択される、請求項１２に記載の組成物。
【請求項１４】
前記布地処理剤が、酸化、放射線開裂、誘導体化、水素添加、還元、溶媒化分解、加水分解、重合、中和及びこれらの組み合わせから成る群から選択される方法によって前記最初の形態から前記変性された形態に変換される、請求項１２又は１３に記載の組成物。
【請求項１５】
前記加水分解が、酸加水分解、塩基加水分解、酵素加水分解及びこれらの組み合わせから成る群から選択される、請求項１２〜１４のいずれか１項に記載の組成物。
【請求項１６】
前記誘導体化が、エステル化、アシル化、アルキル化、アミド化及びこれらの組み合わせから成る群から選択される、請求項１２〜１５のいずれか１項に記載の組成物。
【請求項１７】
前記変換が、非水性媒体中で起こる、請求項１２〜１６のいずれか１項に記載の組成物。
【請求項１８】
前記非水性媒体が、直鎖又は環状シロキサン類、グリコールエーテル類、グリセリンエーテル類、炭化水素類、フルオロカーボン類、クロロカーボン類及びこれらの混合物である、請求項１２〜１７のいずれか１項に記載の組成物。
【請求項１９】
前記最初の形態の布地処理剤が、ポリマー鎖主鎖及び／又はポリマー鎖末端部に位置する官能性部分を１以上有するポリマーである、請求項１２〜１８のいずれか１項に記載の組成物。
【請求項２０】
前記官能性部分が、アセタール類、ケタール類、オルトエステル類、アミド類、イミド類、エステル類、炭酸塩類、エステル−四級窒素、アルケニル類、ヒドロキシル類、アルデヒド類、保護ヒドロキシル類、カルボン酸類、水素リン酸エステル類、エーテル類、アミン類及びこれらの混合物から成る群から選択される、請求項１２〜１９のいずれか１項に記載の組成物。
【発明の詳細な説明】
【技術分野】
【０００１】
本発明は、官能化された布地処理剤を使用して親油性流体を浄化するための方法に関する。官能化された布地処理剤は、非水性布地物品処理方法において布地処理効果を送達でき、処理プロセスの後で非水性溶媒から容易に除去できるように設計されている。この方法によって洗濯汚れも除去できる。本発明はまた、官能化された布地処理剤を含有する布地処理組成物に関する。
【背景技術】
【０００２】
洗浄用途は、典型的には、表面から異物を除去することを伴う。洗濯用途では、これは、綿、ポリエステル、シルク、レーヨン、ウール及びこれらの素材の様々なブレンドを含む様々な布地から、疎水性汚れ及び親水性汚れ（食品の染み、血液、草、土、グリース、油など）の両方を除去することを伴う。
【０００３】
洗濯用途の場合、消費者には、汚れの除去に２つの選択肢、すなわち、従来の水系の洗浄及びドライクリーニング（非水性系の洗浄）がある。従来の水系の布地洗浄システムで使用するのに好適な組成物は、長年にわたって最適化されてきた。具体的には、界面活性剤、酵素、ビルダー、漂白剤、キレート剤、ポリマー及び他の添加剤を含む洗濯洗剤は、水系の布地洗浄システムで、親水性汚れ及び疎水性汚れの両方を効率的に除去することが示されてきた。より具体的には、綿、ポリエステル、及び様々なブレンドは、従来の水系のシステムを使用して効率的に洗浄できるが、シルク、ウール、及びレーヨンのようなより繊細な他の布地は、水系の洗浄方法に起因した布地の損傷又は縮みを起こしやすく、一般にドライクリーニング方法に頼っている。
【０００４】
ドライクリーニング方法は、洗浄システムにおいて少量の水が使用されるか、又は水が使用されない方法を意味しており；ハロカーボン類、炭化水素類、高密度二酸化炭素、グリコールエーテル類及びシリコーン類のような、様々な非水性有機溶媒を使用する。
【０００５】
従来の洗剤組成物及び添加剤は水系洗浄用に設計されている。これらの従来の洗剤組成物及び添加剤は、ドライクリーニング溶媒との相容性が低いので、こうした溶媒中では有効な布地洗浄剤ではないことが判明した。
【０００６】
洗浄性界面活性剤のようないくつかの添加剤は、ドライクリーニング用途に開発されてきた。これらの添加剤の重要な設計特徴は、ドライクリーニング溶媒とのそれらの増進した相容性である。理論に制限されるものではないが、これらの洗浄性界面活性剤は、標的汚れを可溶化すること、低量の水が使用される場合は、ドライクリーニング溶媒又はシステムに水を懸濁すること、及び布地処理システムから除去するために汚れを捕獲するのを助ける逆ミセルを形成することにより洗浄力を高めることができると考えられる。界面活性剤の洗浄性は、「特殊な界面活性剤の洗浄性（Detergency of Specialty Surfactants）」、Ｆ．Ｅ．フリードリ（F.E.Friedli）、マーセル・デッカー社（Marcel Dekker,Inc.）、ニューヨーク（１９８８年）で論じられている。ドライクリーニング用途での界面活性剤の使用は、米国特許第５，９４４，９９６号；米国特許第６，５４８，４６６号；米国特許第６，４６１，３８７号；米国特許第６，１４８，６４４号；及び米国特許第６，１１４，２９５号に開示されている。
【０００７】
それ故に、非水性洗浄用途における汚れの除去及び他の布地処理効果を増進させる布地処理剤を開発する必要性が引き続き存在する。
【０００８】
洗濯処理に使用された後、ドライクリーニング溶媒は、通常、洗浄性界面活性剤、汚れ放出ポリマー、漂白剤、酵素、及びその他の補助剤成分のような布地処理剤を含有することが周知である。ドライクリーニング溶媒は水よりも高価であるので、ドライクリーニング溶媒を２回以上の処理に再生利用／再使用する必要がある。従来の浄化方法は、蒸留を使用して、布地処理剤をドライクリーニング溶媒から除去する。しかし、蒸留方法を実施するための機器及び条件は、きわめて厄介で、エネルギー消費量が多く、消費者の家庭で使用するには実用的でない。それ故に、蒸留することなくドライクリーニング溶媒から布地処理剤を除去する必要性が存在する。蒸留方法を用いる代表的なシステムは、ＥＰ５４３，６６５、並びに米国特許第５，９４２，００７号；同第６，０５６，７８９号；同第６，０５９，８４５号；及び同第６，０８６，６３５号に開示されている。
【０００９】
典型的な非蒸留浄化方法は、粘土及び／又は活性炭を含有するフィルタを利用する。炭素及び粘土吸着物質を含有する代表的なフィルタは、米国特許第４，２７７，３３６号及び同第３，６５８，４５９号で開示されており、いくつかは、クリーンライト（KleenRite）（登録商標）フィルタとして市販されている。しかし、そのようなフィルタは、かなり限られた耐用年数で交換の必要があり、布地処理剤を除去する効率があまりよくない。
【発明の開示】
【発明が解決しようとする課題】
【００１０】
従って、浄化された溶媒を再生利用／再使用できるように、ドライクリーニング溶媒から布地処理剤、特に界面活性剤を有効的に除去する方法の必要性が存在する。
【００１１】
また、安全で経済的なエネルギー効率のよい方法でドライクリーニング溶媒を浄化できる方法を備える必要性も存在する。従って、低温及び周囲気圧でドライクリーニング溶媒から布地処理剤を除去する非蒸留方法の必要性が存在する。
【００１２】
前述に基づき、汚れを除去し、又はドライクリーニング方法における他の布地ケア機能を提供し、ドライクリーニング溶媒から容易に除去できるような可溶性の低い化合物／分子に変性又は変換できる布地処理剤を設計することが所望されている。
【課題を解決するための手段】
【００１３】
本発明の１つの態様は、親油性流体を浄化するための方法に関し、この方法は：
（ａ）親油性流体、及び１以上の官能性部分を有する少なくとも１つの最初の布地処理剤を含む混合物を得る工程；
（ｂ）前記最初の布地処理剤を変性することによって、前記布地処理剤を変性された布地処理剤に変換する工程；並びに
（ｃ）変性された布地処理剤を前記親油性流体から分離する工程
を含み、前記最初の布地処理剤及び前記変性された布地処理剤は、分子量、極性、親油性流体との相容性、又はこれらの組み合わせにおいて異なる。
【００１４】
本発明の別の態様は、非水性布地処理方法に使用するのに好適な布地ケア組成物に関し、前記組成物は、１以上の官能性部分を含有する最初の形態；及び非水性布地処理方法に使用される非水性媒体からの前記布地処理剤の分離を増進することができる変性された形態を有する布地処理剤を含み；前記最初の形態及び変性された形態は、分子量、極性、非水性媒体との相容性、又はこれらの組み合わせにおいて異なる。
【００１５】
本発明のさらに別の態様は、親油性流体を浄化するための方法に関し、この方法は：
（ａ）親油性流体、及び１以上の官能性部分を有する少なくとも１つの最初の布地処理剤を含む布地処理組成物を含む混合物を得る工程；
（ｂ）前記最初の布地処理剤を官能性部分との化学反応を介して変性することによって、前記最初の布地処理剤を変性された布地処理剤に変換する工程；並びに
（ｃ）変性された布地処理剤を前記親油性流体から分離する工程
を含み、前記化学反応は、酸化、放射線開裂、誘導体化、水素添加、還元、溶媒化分解、加水分解、重合、中和及びこれらの組み合わせから成る群から選択される。
【００１６】
本発明のさらに別の方法は、親油性流体を浄化するための方法に関し、この方法は：
（ａ）洗濯汚れを含有する布地物品を、親油性流体及び１以上の官能性部分を有する最初の布地処理剤を含む組成物と接触させる工程；
（ｂ）前記布地物品から、親油性流体、洗濯汚れ及び前記最初の布地処理剤を含む混合物を抽出する工程；
（ｃ）前記官能性部分との第１の化学反応を介して前記最初の布地処理剤を変性することにより、前記最初の布地処理剤を変性された布地処理剤に変換する工程；
（ｄ）第２の化学反応を介して洗濯汚れを変性することにより、洗濯汚れを変性された洗濯汚れに変換する工程；並びに
（ｅ）変性された布地処理剤及び／又は変性された洗濯汚れを親油性流体から分離する工程
を含み、
前記第１及び第２の化学反応が独立して、酸化、放射線開裂、誘導体化、水素添加、還元、溶媒化分解、加水分解、重合、中和及びこれらの組み合わせから成る群から選択される。
【発明を実施するための最良の形態】
【００１７】
（定義）
本明細書で使用される用語「布地物品」は、従来の洗濯方法又はドライクリーニング方法で慣例的に洗浄されるいかなる物品をも意味することが意図される。このような用語は、衣類、リネン、カーテン及び衣類付属品の物品を包含する。この用語は、また、カーペット、トートバッグ、家具カバー、防水布、車の内装などのような、全体又は一部が布地で作製された他の品目も包含する。
【００１８】
本明細書で使用する時、用語「吸収材料」又は「吸収性ポリマー」は、ドライクリーニング溶媒を取り込むことなく、水及び／又は含水液体を選択的に取り込む（すなわち、吸収又は吸着する）ことが可能ないかなる物質をも意味する。換言すれば、吸収材料又は吸収性ポリマーは、当該技術分野において「ゲル」、「ポリマーゲル」及び「超吸収性ポリマー」と呼ばれる吸水剤を含む。
【００１９】
本明細書で使用する時、用語「布地処理組成物（fabric treatment composition）」又は「布地処理組成物（fabric treating composition）」は、洗浄すべき布地物品と直接接触するドライクリーニング溶媒含有組成物を意味する。組成物が、また、コンディショニング、サイジング、及びその他の布地ケア処理のような、洗浄以外の用途も提供し得ることが理解される。従って、それは用語「布地ケア組成物」と同義的に使用してよい。さらに、任意の洗浄補助剤（例えば、追加の洗浄性界面活性剤、漂白剤、香料など）及び他の布地ケア剤を組成物に添加してもよい。「布地処理剤／添加剤」又は「布地ケア活性物質／ケア剤」という用語は、洗浄補助剤及び仕上げ／布地ケア添加剤を包含することが理解される。
【００２０】
本明細書で使用する時、用語「ドライクリーニング」又は「非水性洗浄」は、布地物品を洗浄するためのドライクリーニング溶媒として非水性流体が使用されることを意味する。しかし、補助洗浄剤として、水を「ドライクリーニング」法に加えることができる。「ドライクリーニング」方法では、水の量は、ドライクリーニング溶媒又は布地処理組成物の約２５重量％まで含むことができる。非水性流体は、「親油性流体」又は「ドライクリーニング溶媒」と呼ばれる。
【００２１】
本明細書で使用する時、用語「汚れ」又は「洗濯汚れ」は、洗浄方法による除去の標的である、布地物品上のいかなる望ましくない外部物質をも意味する。用語「水系」又は「親水性」汚れとは、汚れが最初に布地物品と接触した時点で、汚れが水を含んでいたか、又は汚れが布地物品上で一定の量の水を保持していることを意味する。水系の汚れの例には、飲物、多くの食品汚れ、水溶性染料、汗、尿又は血液などの体液、草の染み及び泥などの戸外の汚れが挙げられるが、これらに限定されない。一方、本明細書で使用する時、用語「親油性」の汚れは、汚れが親油性流体中で高い溶解性を有するか、又は汚れが親油性流体に対して高い親和性を有することを意味する。親油性の汚れの例としては、モノ−、ジ−及びトリ−グリセリド、飽和及び不飽和脂肪酸、非極性炭化水素、ろう及びろうエステル、脂質のような、身体の汚れ；並びに非イオン性界面活性剤のような洗濯物質；並びにこれらの混合物が挙げられるが、これらに限定されない。
【００２２】
本明細書で使用する時、用語「不溶性」は、物質が液体媒質（ドライクリーニング溶媒又は水）に添加された後２４時間以内に液体媒質から物理的に分離（すなわち、沈殿、凝縮、浮揚）することを意味し、それに対して用語「可溶性」は、物質が添加後２４時間以内に液体媒質から物理的に分離しないことを意味する。
【００２３】
（親油性流体）
本明細書で使用する時、「親油性流体」は、水の２０重量％までにおいては水と混和しない、いかなる液体又は液体の混合物をも意味する。一般に、好適な親油性流体は、周囲温度及び圧力で完全に液体であることができ、容易に溶融する固体であることができ、例えば、約０℃〜約６０℃の範囲の温度で液体になるか、又は周囲温度及び気圧で、例えば、２５℃及び１０１ｋＰａ（１気圧）気圧で液体と蒸気相との混合物を含むことができるものである。
【００２４】
好適な親油性流体は、不燃性であるか、あるいは、従来の既知のドライクリーニング流体の特質に等しい、又は好ましくはそれを超える、比較的高い引火点及び／若しくは低いＶＯＣ特質を有してもよく、ここでこれらの用語は、ドライクリーニング業界で使用される従来の意味を持つ。本明細書で使用する時、本発明で有用な「ドライクリーニング溶媒」は親油性流体を意味する。
【００２５】
好適な親油性流体物質の非限定例としては、シロキサン類、他のシリコーン類、炭化水素類、グリコールエーテル類、グリセリンエーテル類のようなグリセリン誘導体、ペルフルオロアミン、ペルフルオロ化及びハイドロフルオロエーテル溶媒、低揮発性非フッ化有機溶媒、ジオール溶媒、環境に優しいその他の溶媒、並びにこれらの混合物が挙げられる。
【００２６】
本明細書で使用する時、「シロキサン」は、非極性で、水中又は低級アルコール中で不溶性であるシリコーン流体を意味する。直鎖シロキサン類（例えば、米国特許第５，４４３，７４７号及び同第５，９７７，０４０号参照）並びに環状シロキサン類は、本明細書で有用であり、オクタメチルシクロテトラシロキサン（テトラマー）、ドデカメチルシクロヘキサシロキサン（ヘキサマー）、デカメチルシクロペンタシロキサン（ペンタマー、一般に「Ｄ５」と呼ばれる）及びこれらの混合物から成る群から選択される環状シロキサン類が挙げられる。好適なシロキサンは、約５０％を超える環状シロキサンペンタマー、又は約７５％を超える環状シロキサンペンタマー、又は少なくとも約９０％の環状シロキサンペンタマーを含む。また、少なくとも約９０％（又は少なくとも約９５％）のペンタマー並びに約１０％未満（又は約５％未満）のテトラマー及び／又はヘキサマーを有する環状シロキサンの混合物であるシロキサンも、本明細書で用いるのに適している。
【００２７】
親油性流体には、ドライクリーニング溶媒、特にフッ素化溶媒又はペルフルオロアミン類を含むより新しい種類の任意の部分を含むことができる。ペルフルオロトリブチルアミンのような一部のペルフルオロアミンは、親油性流体として使用するには適していないが、親油性流体を含有する組成物中に存在することができる多くの補助剤の１つとして存在してよい。
【００２８】
他の好適な親油性流体としては、ジオール溶媒系、例えば、Ｃ６若しくはＣ８又はより高級なジオールなどの高級ジオール類、環式及び非環式の両方の種類を含むオルガノシリコーン溶媒など、並びにこれらの混合物が挙げられるが、これらに限定されない。
【００２９】
低揮発性非フッ化有機溶媒の非限定例には、例えば、オレアン（OLEAN）（登録商標）及び他のポリオールエステル類、又は特定の比較的非揮発性の生分解性中鎖分枝状石油留分が挙げられる。
【００３０】
グリコールエーテル類の非限定例としては、プロピレングリコールメチルエーテル、プロピレングリコールｎ−プロピルエーテル、プロピレングリコールｔ−ブチルエーテル、プロピレングリコールｎ−ブチルエーテル、ジプロピレングリコールメチルエーテル、ジプロピレングリコールｎ−プロピルエーテル、ジプロピレングリコールｔ−ブチルエーテル、ジプロピレングリコールｎ−ブチルエーテル、トリプロピレングリコールメチルエーテル、トリプロピレングリコールｎ−プロピルエーテル、トリプロピレングリコールｔ−ブチルエーテル、トリプロピレングリコールｎ−ブチルエーテルが挙げられる。
【００３１】
シロキサン類に加えて、他のシリコーン溶媒の非限定例が文献で周知であり（例えば、カーク・オスマー（Kirk Othmer）の「工業化学百科事典（Encyclopedia of Chemical Technology）」参照）、ＧＥシリコーンズ（Silicones）、東芝シリコーン（Toshiba Silicone）、バイエル（Bayer）及びダウ・コーニング（Dow Corning）を含む多数の市販源から入手可能である。例えば、好適なシリコーン溶媒の１つは、ＧＥシリコーンズから入手可能なＳＦ−１５２８である。
【００３２】
好適なグリセリン誘導体溶媒の非限定例には、次の構造を有する物質が挙げられ、
【化１】
2007526402.tif 000002
式中、Ｒ１、Ｒ２、及びＲ３それぞれは独立して：Ｈ；分枝鎖又は直鎖、置換又は非置換の、Ｃ１〜Ｃ３０アルキル、Ｃ２〜Ｃ３０アルケニル、Ｃ１〜Ｃ３０アルコキシカルボニル、Ｃ３〜Ｃ３０アルキレンオキシアルキル、Ｃ１〜Ｃ３０アシルオキシ、Ｃ７〜Ｃ３０アルキレンアリール；Ｃ４〜Ｃ３０シクロアルキル；Ｃ６〜Ｃ３０アリール、及びこれらの混合物から選択される。Ｒ１、Ｒ２及びＲ３の２つ以上が一緒になって、Ｃ３〜Ｃ８の芳香族又は非芳香族、複素環式又は非複素環式の環を形成することができる。
【００３３】
好適なグリセリン誘導体溶媒の非限定例としては、２，３−ビス（１，１−ジメチルエトキシ）−１−プロパノール；２，３−ジメトキシ−１−プロパノール；３−メトキシ−２−シクロペントキシ−１−プロパノール；３−メトキシ−１−シクロペントキシ−２−プロパノール；炭酸（２−ヒドロキシ−１−メトキシメチル）エチルエステルメチルエステル；グリセロールカーボネート、及びこれらの混合物が挙げられる。
【００３４】
環境に優しい他の溶媒の非限定例としては、オゾン形成能が約０〜約０．３１の親油性流体、蒸気圧が０〜１３Ｐａ（約０〜約０．１ｍｍＨｇ）の親油性流体、及び／又は、蒸気圧が１３Ｐａ（０．１ｍｍＨｇ）より高く、ただしオゾン生成能が約０〜約０．３１である親油性流体が挙げられる。ここまでに記載していないこのような親油性流体の非限定例としては、カーボネート溶媒（すなわち、メチルカーボネート、エチルカーボネート、エチレンカーボネート、プロピレンカーボネート、グリセリンカーボネート）、及び／又はサクシネート溶媒（すなわち、ジメチルサクシネート）が挙げられる。
【００３５】
本明細書で使用する時、「オゾン反応性」は、ＶＯＣが大気中でオゾンを形成する能力の指標である。それは、揮発性有機物１グラム当たりで形成されるオゾンのグラム数として測定される。オゾン反応性を測定するための方法論は、Ｗ．Ｐ．Ｌ．カーター（Carter）、「揮発性有機化合物のオゾン反応性尺度の開発（“Development of Ozone Reactivity Scales of Volatile Organic Compounds）」、空気及び廃棄物管理協会誌（Journal of the Air & Waste Management Association）、第４４巻、８８１〜８９９頁、１９９４年でさらに考察されている。使用される「蒸気圧」は、カリフォルニア大気資源局（California Air Resources Board）の方法３１０で定義される技術によって測定することができる。
【００３６】
１つの実施形態において、親油性流体は、親油性流体の５０重量％を超える、シクロペンタシロキサン類（例えば、「Ｄ５」）、及び／又はほぼ同様の揮発性を有し、所望により他のシリコーン溶媒によって補完された線状類縁体を含む。
【００３７】
親油性流体の濃度は、本発明による処理組成物中に存在する時には、処理組成物の約５０重量％超〜約９９．９９重量％、又は約６０重量％〜約９５重量％、又は約７０重量％〜約９０重量％である。
【００３８】
（布地処理剤及び布地処理組成物）
布地物品の処理／洗浄に使用する布地処理組成物は、親油性流体、１つ以上の官能性部分を有する布地処理剤、並びに所望により、水、極性溶媒、洗浄補助剤及び／又は布地処理剤を含んでよい。
【００３９】
所定の布地処理剤は、組成物に存在する場合、典型的には組成物の約０．０１重量％〜約８０重量％、又は約０．５重量％〜約６０重量％、又は約１重量％〜約５０重量％含まれる。布地処理剤は、同じ濃度で存在する必要はない。例えば、酵素は洗浄性界面活性剤の濃度の約１／１０〜約１／１００の濃度で存在することができる。
【００４０】
組成物が親油性流体で希釈され洗浄液を形成する場合、所定の布地処理剤は、存在する場合、典型的には洗浄液の約０．０００１重量％〜約５０重量％、又は約０．０１重量％〜約３０重量％、又は約１重量％〜約２０重量％含まれる。
【００４１】
一部の実施形態では、所望により、極性溶媒を同様に洗浄液に組み込んでもよい。極性溶媒は、布地処理組成物の構成成分として、又は洗浄液中の親油性流体の共溶媒として添加されてよい。極性溶媒は水であることができ、また所望により、直鎖又は分枝鎖Ｃ１〜Ｃ６アルコール、Ｃ１〜Ｃ４グリコール、及びこれらの混合物も含むことができる。
【００４２】
存在する場合、組成物の約９９重量％〜約１重量％、又は約５重量％〜約４０重量％の範囲の極性溶媒、及び組成物の約０．０１重量％〜約５０重量％、又は約５重量％〜約３０重量％の範囲の洗浄補助剤である。
【００４３】
布地処理剤としては、汚れ放出ポリマー、洗浄性界面活性剤、漂白剤、酵素、香料、柔軟化剤、仕上げポリマー、染料、移染防止剤、染料固着剤、繊維復元剤、しわ低減剤及び／又はしわ除去剤、繊維修復剤、香料放出剤及び／又は送達剤、形状保持剤、布地及び／又は汚れ標的剤、抗菌剤、変色防止剤、疎水性仕上げ剤、ＵＶ遮断剤、増白剤、顔料（例えば、Ａｌ２Ｏ３、ＴｉＯ２）、毛玉防止剤、スキンケアローション（湿潤剤、保湿剤、粘度変性剤、芳香剤などを含む）、防虫剤、難燃剤並びにこれらの混合物が挙げられるが、これらに限定されない。これらの布地処理剤のうちのいくつかは以下で詳細に記載されている。
【００４４】
（汚れ放出ポリマー）
本明細書で使用する時、用語「汚れ放出」は、洗浄されるか、又は別の方法で処理される布地物品が、その布地物品と接触した汚れを除去する能力を意味する。本発明は、布地物品への汚れの付着を完全には防止しないが、そのような付着を妨げ、布地物品の洗浄性を改善する。本明細書で使用するのに好適な汚れ放出ポリマー類の非限定例としては、フッ素含有汚れ放出ポリマー類及びシリコーン含有汚れ放出ポリマー類が挙げられる。
【００４５】
本発明で有用なフッ素含有汚れ放出ポリマー類（フルオロ−ＳＲＰ）の例は、ペルフルオロアルキルモノマー類から誘導されるか、又はペルフルオロアルキルモノマー類とアルキルメタクリレートモノマー類との混合物から誘導されるポリマーであることができる。ペルフルオロアルキルモノマーは式（ａ）を有し、 
Ｒｆ−Ｑ−Ａ−Ｃ（Ｏ）−Ｃ（Ｒ）＝ＣＨ２      （ａ）
ここで、式（ａ）のＲｆは、炭素原子２〜約２０個を含有する直鎖又は分枝鎖のペルフルオロアルキル基であり；式（ａ）のＲは、Ｈ又はＣＨ３であり；Ａは、Ｏ、Ｓ、又はＮ（Ｒ’）であり；式（ａ）のＱは、炭素原子１〜約１５個のアルキレン、炭素原子３〜約１５個のヒドロキシアルキレン、−（ＣｎＨ２ｎ）（ＯＣｑＨ２ｑ）ｍ−、−ＳＯ２−ＮＲ’（ＣｎＨ２ｎ）−、又は−ＣＯＮＲ’（ＣｎＨ２ｎ）−であり、ここでＲ’は、Ｈ又は炭素原子１〜約４個のアルキルであり；ｎは、１〜約１５であり；ｑは、２〜約４であり；ｍは、１〜約１５である。
【００４６】
１つの実施形態では、フルオロアルキルモノマーは、ペルフルオロアルキルエチル（メタ）アクリレートである。別の実施形態において、ペルフルオロアルキル炭素鎖長さの重量分布は、Ｃ８が約５０重量％、Ｃ１０が約２９重量％、Ｃ１２が約１１重量％、残りがＣ６、１４−炭素及びそれより長い鎖長である。この組成物は、デラウェア州ウィルミントン（Wilmington,Del.）のＥ．Ｉ．デュポン・ド・ヌムール・アンド・カンパニー（E.I.du Pont de Nemours and Company）からゾニル（ZONYL）ＴＡ−Ｎ（登録商標）として入手可能である。フルオロアルキルモノマーの割合は、コポリマーの総重量に対して少なくとも約７０％である。
【００４７】
アルキルメタクリレートモノマーは式（ｂ）を有し、
Ｒ’’−Ｏ−Ｃ（Ｏ）−Ｃ（Ｒ）＝ＣＨ２      （ｂ）
ここで、式（ｂ）のＲ’’は、Ｈ、炭素約１〜約２４個の直鎖又は分枝鎖のアルキル基、窒素１〜３個を含有するように変性されている炭素約１個〜約２４個の直鎖又は分枝鎖のアルキル基、及びこれらの混合物から独立して選択され；式（ｂ）のＲは、Ｈ又はＣＨ３である。アルキル（メタ）アクリレートは、重量に基づきモノマー鎖単位の５〜２５％を構成するように添加される。１つの実施形態において、アルキルメタクリレートは、ステアリルメタクリレートである。
【００４８】
代表的なフルオロ−ＳＲＰは、ミツビシ（Mitsubishi）から水性懸濁液の形態で商標名リパール（REPEARL）Ｆ３５（登録商標）で入手可能であり、またデュポン（DuPont）から商標名ゾニル（ＺＯＮＹＬ）７０６０（登録商標）、ゾニル８３００（登録商標）及びゾニル８７８７（登録商標）で入手可能である。他の好適なフルオロ−ＳＲＰは、ＰＣＴ国際公開特許ＷＯ０１／９８３８４、ＰＣＴ国際公開特許ＷＯ０１／８１２８５；ＪＰ１０−１８２８１４；ＪＰ２０００−２７３０６７；ＰＣＴ国際公開特許ＷＯ９８／４１６０２１３、及びＰＣＴ国際公開特許ＷＯ９９／６９１２６に開示されている。
【００４９】
代表的なシリコーン含有汚れ放出ポリマー類（Ｓｉ−ＳＲＰ）は、以下の式（ｃ）を有することができ、
ＭａＤｂＤ’ｃＴｄ（ＤｅＭａ）１＋ｄ      （ｃ）
ここで、式（ｃ）のａは、０〜２であり；（ｃ）のｂは、０〜１０００であり；式（ｃ）のｃは、０〜２００であり；式（ｃ）のｄは、０〜１であり；式（ｃ）のｅは、０〜１０００であるが、ただし、式（ｃ）のａ＋ｃ＋ｄ＋ｅは、少なくとも１であり；
式（ｃ）のＭは、Ｒ１３−ｆＸｆＳｉＯ１／２であり、ここで、式（ｃ）のＲ１は独立して、Ｈ、又はアルキル基であり、式（ｃ）のＸはヒドロキシル、アルコキシ基であり、ｆは０又は１であり；  
式（ｃ）のＤは、Ｒ４２ＳｉＯ２／２であり、ここで、式（ｃ）のＲ４は独立してＨ又はアルキル基であり；
式（ｃ）のＤ’は、Ｒ５２ＳｉＯ２／２であり、ここで式（ｃ）のＲ５は独立して、Ｈ、アルキル基、又は（ＣＨ２）ｇ（Ｃ６Ｑ４）ｈ（Ａ）i−［（Ｌ）j−（Ａ’）ｋ−］ｌであり、式（ｃ）のｇは１〜１０であり；式（ｃ）のｈは０又は１であり；式（ｃ）のｉは０〜５であり；式（ｃ）のｊは０〜３であり；式（ｃ）のｋは０又は１であり；式（ｃ）のｌは０〜１０であり；式（ｃ）のＣ６Ｑ４は非置換であるか又は式（ｃ）のＱで置換されており、Ｑは独立して、Ｈ、Ｃ１〜１０アルキル、Ｃ１〜１０アルケニル、及びこれらの混合物であり；式（ｃ）のＡ及びＡ’はそれぞれ独立して、エーテル、アミド、アミノ、Ｃ１〜４フルオロアルキル、Ｃ１〜４フルオロアルケニル、アンモニウム、及びこれらの混合物を示す連結部分であり；式（ｃ）のＬは、Ｃ１〜３０直鎖又は分枝鎖アルキル若しくはアルケニル、又は非置換若しくは置換されたアリールであり；’
式（ｃ）のＴは、Ｒ６１ＳｉＯ３／２であり、ここで、式（ｃ）のＲ６は、（ＣＨ２）ｍ（Ｃ６Ｑ４）ｎ（Ａ）ｏ−［（Ｌ）ｐ−（Ａ’）ｑ−］ｒであり、ここで式（ｃ）のｍは、１〜１０であり；式（ｃ）のｎは、０又は１であり；式（ｃ）のｏは、０〜５であり；式（ｃ）のｐは、０〜３であり；式（ｃ）のｑは、０又は１であり；式（ｃ）のｒは、０〜１０であり；式（ｃ）のＣ６Ｑ４は、非置換であるか、又は式（ｃ）のＱで置換されており、Ｑは独立して、Ｈ、Ｃ１〜１０アルキル、Ｃ１〜１０アルケニル、及びこれらの混合物であり；式（ｃ）のＡ及びＡ’は、それぞれ独立して、エーテル、アミド、アミノ、Ｃ１〜４フルオロアルキル、Ｃ１〜４フルオロアルケニル、アンモニウム、及びこれらの混合物を表す連結部分であり；式（ｃ）のＬは、Ｃ１〜３０直鎖又は分枝鎖のアルキル若しくはアルケニル、又は非置換若しくは置換されたアリールである。
【００５０】
代表的なＳｉ−ＳＲＰは、ＧＥからのＤＦ１０４、ＤＦ１０４０、ＳＭ２１２５、ＳＭ２２４５、ＳＭ２１０１、ＳＭ２０５９として、及びダウ・コーニング（Dow Corning）７５ＳＦ（登録商標）エマルションとして市販されている。
【００５１】
本発明で汚れ放出ポリマーとして使用するのに好適なものは、また、水溶性の変性セルロースであり、それには、カルボキシメチルセルロース、ヒドロキシプロピルセルロース、メチルセルロース、及び類似の化合物が挙げられるが、これらに限定されない。これらの化合物及び他の好適な化合物は、カーク・オスマーの工業化学百科事典（Kirk Othmer Encyclopedia of Chemical Technology）、第４版、第５巻、５４１〜５６３頁に「セルロースエーテル（Cellulose Ethers）」の表題で記載されており、またそこで引用される参照文献にも記載されている。
【００５２】
好適な汚れ放出ポリマー類の別の部類は、ポリアルキレンテレフタレート及びポリオキシエチレンテレフタレートのブロックコポリマー、並びにポリアルキレンテレフタレート及びポリエチレングリコールのブロックコポリマーを含んでよい。これらの化合物は、米国特許第６，３５８，９１４号及び米国特許第４，９７６，８７９号に詳細に開示され、論じられている。
【００５３】
汚れ放出ポリマーの別の部類は、エチレンテレフタレートモノマー類、オキシエチレンテレフタレートモノマー類、又はこれらの混合物を含む、結晶化可能なポリエステルである。このポリマーの例は、ゼルコン（Zelcon）４７８０（登録商標）（デュポン（DuPont）から）、及びミリーズ（Milease）Ｔ（登録商標）（ＩＣＩから）として市販されている。これら汚れ放出剤のより完全な開示は、ＥＰ０１８５４２７Ａ１に含まれている。
【００５４】
（洗浄性界面活性剤）
本発明で使用するのに好適な界面活性剤は、次の一般式を有し、 
（Ｉ）Ｙｕ−（Ｌｔ−Ｘｖ）ｘ−Ｙ’ｗ
（ＩＩ）Ｌｙ−（Ｘｖ−Ｙｕ）ｘ−Ｌ’ｚ
及びこれらの混合物；
式中、Ｌ及びＬ’は、溶媒相容化（又は親油性）部分であり、これらは独立して次から選択され、
（ａ）直鎖又は分枝鎖、環式又は非環式、飽和又は不飽和、置換又は非置換のＣ１〜Ｃ２２アルキル又はＣ４〜Ｃ１２アルコキシ；
（ｂ）次式を有するシロキサンであり、
ＭａＤｂＤ’ｃＤ’’ｄ
式中、ａは０〜２であり；ｂは０〜１０００であり；ｃは０〜５０であり；ｄは０〜５０であるが、ただしａ＋ｃ＋ｄは少なくとも１であり；
ＭはＲ１３−ｅＸｅＳｉＯ１／２であり、式中、Ｒ１は独立してＨ又はアルキル基であり、Ｘはヒドロキシル基であり、ｅは０又は１であり； 
ＤはＲ４２ＳｉＯ２／２であり、式中、Ｒ４は独立してＨ又はアルキル基であり；
Ｄ’はＲ’５２ＳｉＯ２／２であり、式中、Ｒ５は独立して、Ｈ、アルキル基、又は（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であり、ただし、少なくとも１つのＲ５が（ＣＨ２）ｆ（Ｃ６Ｑ４）ｇＯ−（Ｃ２Ｈ４Ｏ）ｈ−（Ｃ３Ｈ６Ｏ）ｉ（ＣｋＨ２ｋ）ｊ−Ｒ３であることを条件とし、式中、Ｒ３は独立して、Ｈ、アルキル基、又はアルコキシ基であり、ｆは１〜１０であり、ｇは０又は１であり、ｈは１〜５０であり、ｉは０〜５０であり、ｊは０〜５０であり、ｋは４〜８であり；Ｃ６Ｑ４は、非置換又は置換型であり；Ｑは独立して、Ｈ、Ｃ１〜１０アルキル、Ｃ２〜１０アルケニル、及びこれらの混合物から選択され；
Ｄ’’はＲ６２ＳｉＯ２／２であり、式中、Ｒ６は独立して、Ｈ、アルキル基、又は（ＣＨ２）ｌ（Ｃ６Ｑ４）ｍ（Ａ）ｎ−［（Ｔ）ｏ−（Ａ’）ｐ−］ｑ−（Ｔ’）ｒＺ（Ｇ）ｓであり、式中、ｌは１〜１０であり；ｍは０又は１であり；ｎは０〜５であり；ｏは０〜３であり；ｐは０又は１であり；ｑは０〜１０であり；ｒは０〜３であり；ｓは０〜３であり；Ｃ６Ｑ４は、非置換又は置換型であり；Ｑは独立して、Ｈ、Ｃ１〜１０アルキル、Ｃ２〜１０アルケニル、及びこれらの混合物から選択され；Ａ及びＡ’はそれぞれ独立して、エステル、ケト、エーテル、チオ、アミド、アミノ、Ｃ１〜４フルオロアルキル、Ｃ１〜４フルオロアルケニル、分枝鎖又は直鎖ポリアルキレンオキシド、ホスフェート、スルホニル、サルフェート、アンモニウム、及びこれらの混合物を表す連結部分であり；Ｔ及びＴ’はそれぞれ独立して、Ｃ１〜３０直鎖若しくは分枝状アルキル若しくはアルケニル又はアリールで、非置換又は置換型であり；Ｚは、水素、カルボン酸、ヒドロキシ、ホスフェート（phosphato）、ホスフェートエステル、スルホニル、スルホネート、サルフェート、分枝鎖若しくは直鎖ポリアルキレンオキシド、ニトリル、グリセリル、Ｃ１〜３０アルキル若しくはアルケニルで置換されたアリール又は非置換のアリール、Ｃ１〜１０アルキル若しくはアルケニルで置換された炭水化物又は非置換の炭水化物、あるいはアンモニウムであり；Ｇは、Ｈ＋、Ｎａ＋、Ｌｉ＋、Ｋ＋、ＮＨ４＋、Ｃａ＋２、Ｍｇ＋２、Ｃｌ−、Ｂｒ−、Ｉ−、メシラート又はトシラートのような、アニオン又はカチオンであり；Ｄ’’は、Ｃ１〜Ｃ４アルキル又はヒドロキシ基で末端処理されることができ；
Ｙ及びＹ’は親水性部分であり、これは、ヒドロキシ；ポリヒドロキシ；Ｃ１〜Ｃ３アルコキシ；モノ−又はジ−アルカノールアミン；Ｃ１〜Ｃ４アルキル置換アルカノールアミン；Ｏ、Ｓ、Ｎを含有する置換複素環；スルフェート；カルボキシレート；カーボネートから独立して選択され；Ｙ及び／又はＹ’はエトキシ（ＥＯ）又はプロポキシ（ＰＯ）である時には、以下から成る群から選択されるＲで末端処理されなければならず、
（ｉ）１〜３個のヘテロ原子を含有する、４〜８員環、置換又は非置換の複素環式環；及び 
（ｉｉ）約１〜約３０個の炭素原子を有する、直鎖又は分枝鎖、飽和又は不飽和、置換又は非置換、環式又は非環式、脂肪族又は芳香族の炭化水素ラジカル；
Ｘは、Ｏ；Ｓ；Ｎ；Ｐ；直鎖又は分枝鎖、飽和又は不飽和、置換又は非置換、環式又は非環式、脂肪族又は芳香族の、Ｏ、Ｓ、Ｎ、Ｐが入り込んだＣ１〜Ｃ２２アルキル；グリシジル、エステル、アミド、アミノ、ＰＯ４２−、ＨＰＯ４−、ＰＯ３２−、ＨＰＯ３−から選択される架橋結合であり、これらは、プロトン化又は非プロトン化されており； 
ｕ及びｗは、０〜２０から独立して選択される整数であり、ただしｕ＋ｗ≧１であり；
ｔは１〜１０の整数であり； 
ｖは０〜１０の整数であり； 
ｘは１〜２０の整数であり；
ｙ及びｚは、１〜１０から独立して選択される整数である。
【００５５】
さらに別の種類の好適な界面活性剤は、炭素原子約６〜約２０個の炭素鎖を有する、オルガノスルホサクシネート類である。１つの実施形態では、オルガノスルホスクシネート類は、それぞれが炭素原子数約６〜約２０個の炭素鎖を有する、ジアルキル鎖を含有する。別の実施形態において、オルガノスルホサクシネート類は、アリール若しくはアルキルアリールの置換又は非置換、分枝鎖又は直鎖、飽和又は不飽和基を含有する鎖を有する。好適なオルガノスルホサクシネート界面活性剤の市販品の非限定例は、商標名エアゾール（Aerosol）ＯＴ（登録商標）及びエアゾールＴＲ−７０（登録商標）（例えば、サイテック（Cytec））で入手可能である。
【００５６】
（漂白剤）
好適な漂白剤の非限定例は、触媒金属錯体、活性過酸素源（activated peroxygen sources）、漂白活性化剤、漂白促進剤、光漂白剤、フリーラジカル開始剤及びヒオハライト漂白剤（hyohalite bleaches）から成る群から選択される。
【００５７】
好適な触媒金属錯体の例には、米国特許第５，５７６，２８２号に開示のＭｎＩＶ２（ｕ−Ｏ）３（１，４，７−トリメチル−１，４，７−トリアザシクロノナン）２（ＰＦ６）２のようなマンガン系触媒、式［Ｃｏ（ＮＨ３）５ＯＡｃ］Ｔｙ（式中、「ＯＡｃ」はアセテート部分を表し、「Ｔｙ」はアニオンである）を有するコバルトペンタアミンアセテート塩のような、米国特許第５，５９７，９３６号に開示のコバルト系触媒；「ＭＲＬ」と略されるマクロ多環式リジッドリガンド（macropolycyclic rigid ligand）の遷移金属錯体が挙げられるが、これらに限定されない。ＭＲＬにおける好適な金属には、様々な酸化状態にある、Ｍｎ、Ｆｅ、Ｃｏ、Ｎｉ、Ｃｕ、Ｃｒ、Ｖ、Ｍｏ、Ｗ、Ｐｄ、及びＲｕが挙げられる。好適なＭＲＬの例には：ジクロロ−５，１２−ジエチル−１，５，８，１２−テトラアザビシクロ［６．６．２］ヘキサデカンマンガン（ＩＩ）、ジクロロ−５，１２−ジエチル−１，５，８，１２−テトラアザビシクロ［６．６．２］ヘキサデカンマンガン（ＩＩＩ）ヘキサフルオロホスフェート、及びジクロロ−５−ｎ−ブチル−１２−メチル−１，５，８，１２−テトラアザビシクロ［６．６．２］ヘキサデカンマンガン（ＩＩ）が挙げられる。好適な遷移金属ＭＲＬは、既知の手順、例えば、ＰＣＴ国際公開特許ＷＯ００／３３２６０１及び米国特許第６，２２５，４６４号で教示されているような手順によって容易に調製される。
【００５８】
好適な活性過酸素源には、事前に生成された過酸、漂白活性化剤と組み合わせた過酸化水素源、又はこれらの混合物が挙げられるが、これらに限定されない。事前に生成された好適な過酸には、過カルボン酸及び塩、過炭酸及び塩、過イミド酸及び塩、ペルオキシモノ硫酸及び塩、並びにこれらの混合物から成る群から選択される化合物が挙げられるが、これらに限定されない。過酸化水素の好適な供給源には、過ホウ酸塩化合物、過炭酸塩化合物、過リン酸塩化合物及びこれらの混合物から成る群から選択される化合物が挙げられるが、これらに限定されない。活性過酸素源の好適な種類及び濃度は、米国特許第５，５７６，２８２号、同第６，３０６，８１２Ｂ１号及び同第６，３２６，３４８Ｂ１号において見出され、これらは参考として組み込まれる。
【００５９】
好適な漂白活性化剤には、テトラアセチルエチレンジアミン、オクタノイルカプロラクタム、ベンゾイルオキシベンゼンスルホネート、ノナノイルオキシベンゼンスルホネート、ベンゾイルバレロラクタム、ドデカノイルオキシベンゼンスルホネートのような、過加水分解可能な（perhydrolyzable）エステル及び過加水分解可能なイミドが挙げられるが、これらに限定されない。
【００６０】
好適な漂白促進剤には、米国特許第５，８１７，６１４号に記載のものが挙げられるが、これらに限定されない。
【００６１】
（酵素）
好適な酵素の非限定例には、プロテアーゼ、アミラーゼ、セルラーゼ、リパーゼ、及びその他が挙げられる。好適なプロテアーゼには、商標名エスペラーゼ（Esperase）（登録商標）、アルカラーゼ（Alcalase）（登録商標）、エバラーゼ（Everlase）（登録商標）及びサビナーゼ（Savinase）（登録商標）（ノボザイムズ（Novozymes）製）、ＢＬＡＰ及び変異型（ヘンケル（Henkel)製）のバチルス（例えば、サブチリス（subtilis）、レンタス（lentus）、リケニホルミス（licheniformis）、アミロリクエファシエンス（amyloliquefaciens）（ＢＰＮ、ＢＰＮ’）、アルカロフィラス（alcalophilus））からのサブチリシンが挙げられる。他の好適なプロテアーゼは、ＥＰ１３０７５６、ＰＣＴ国際公開特許ＷＯ９１／０６６３７、ＰＣＴ国際公開特許ＷＯ９５／１０５９１、及びＰＣＴ国際公開特許ＷＯ９９／２０７２６に記載されている。適切なアミラーゼ（α及び／又はβ）は、ＰＣＴ国際公開特許ＷＯ９４／０２５９７及びＰＣＴ国際公開特許ＷＯ９６／２３９７３に記載されている。市販のアミラーゼの非限定例には、ピュラフェクト（Purafect）ＯｘＡｍ（登録商標）（ジェネンコア（Genencor）製）、並びにターマミル（Termamyl）（登録商標）、ナタラーゼ（Natalase）（登録商標）、バン（Ban）（登録商標）、フンガミル（Fungamyl）（登録商標）及びデュラミル（Duramyl）（登録商標）（ノボザイムズ（Novozymes）製）が挙げられる。好適なセルラーゼには、フミコーラ・インソレンス（Humicola insolens）により産生されるような細菌性又は真菌性セルラーゼ、特にＤＳＭ１８００（ケアザイム（Carezyme）（登録商標）として市販されている）が挙げられる。他の好適なセルラーゼは、トリコデルマ・ロンギブラチアタム（Trichoderma longibrachiatum）によって産生されるＥＧＩＩＩセルラーゼである。好適なリパーゼには、シュードモナス（Pseudomonas）及びクロモバクター（Chromobacter）群によって産生されるものが挙げられる。市販のリパーゼの非限定例には、ノボザイムズ（Novozymes）からのリポラーゼ（Lipolase）（登録商標）、リポラーゼウルトラ（Lipolase Ultra）（登録商標）、リポプライム（Lipoprime）（登録商標）、及びリペックス（Lipex）（登録商標）が挙げられる。また本明細書で使用するのに好適であるものは、クチナーゼ［ＥＣ３．１．１．５０］；エステラーゼ；マンナナーゼ（米国特許第６，０６０，２９９号）のようなカルボヒドラーゼ；ペクチン酸リアーゼ（ＰＣＴ国際公開特許ＷＯ９９／２７０８３）；シクロマルトデキストリングルカノトランスフェラーゼ（ＰＣＴ国際公開特許ＷＯ９６／３３２６７）；及びキシログルカナーゼ（ＰＣＴ国際公開特許ＷＯ９９／０２６６３）である。加えて、漂白酵素の非限定例としては、ペルオキシダーゼ、アセチルＣｏＡカルボキシラーゼ（accases）、オキシゲナーゼ（例えば、カテコール１，２ジオキシゲナーゼ）、リポキシゲナーゼ（ＰＣＴ国際公開特許ＷＯ９５／２６３９３）、（非ヘム）ハロペルオキシダーゼが挙げられる。
【００６２】
（香料及び香料デリバリーシステム）
本明細書で使用する時、用語「香料」は、いかなる芳香性物質をも意味する。好適な香料には、１つ以上の芳香族化学物質、天然由来の油、及びこれらの混合物が挙げられるが、これらに限定されない。このような芳香族化学物質及び精油の化学的部類には、アルコール類、アルデヒド類、エステル類、ケトン類が挙げられるが、これらに限定されない。香料には、通常、香料デリバリーシステムが備わっている。
【００６３】
好適な香料デリバリーシステムには、香料を充填したシクロデキストリン類、アミン補助送達組成物（amine assisted delivery compositions）、ポリマー補助香料システム、反応性／プロ香料（pro-perfume）システム及び無機キャリアシステムが挙げられるが、これらに限定されない。香料を充填したシクロデキストリン送達組成物は、香料物質を含むか、あるいは大部分のシクロデキストリンがα−、β−、及び／若しくはγ−シクロデキストリン、又は単にβ−シクロデキストリンであってよいシクロデキストリン型物質と錯体を形成したブレンドを含む。シクロデキストリン類及びシクロデキストリン送達組成物を製造する方法は、米国特許第３，８１２，０１１号、同第４，３１７，８８１号、同第４，４１８，１４４号及び同第５，５５２，３７８号にさらに記載されている。
【００６４】
アミン補助送達システムは、１つ以上の香料と、香料から最終製品へ別々に添加されるポリマー及び／又は非ポリマーアミン物質とを含む。このようなシステムは、ＰＣＴ国際公開特許ＷＯ０３／３３６３５及びＰＣＴ国際公開特許ＷＯ０３／３３６３６に記載されている。
【００６５】
ポリマー補助送達システムは、ポリマー物質と香料との物理的結合を使用して香料物質を送達する。好適なポリマー補助システムには、リザーバシステム（コアセルベート、マイクロカプセル、デンプン封入）、及びマトリックスシステム（ポリマーエマルション、ラテックス）が挙げられるが、これらに限定されない。このようなシステムは、ＰＣＴ国際公開特許ＷＯ０１／７９３０３、ＰＣＴ国際公開特許ＷＯ００／６８３５２、ＰＣＴ国際公開特許ＷＯ９８／２８３３９、並びに米国特許第５，１８８，７５３号及び同第４，７４６，４５５号にさらに記載されている。
【００６６】
反応性／プロ香料システムには、製品に添加する前に、ポリマーキャリア、典型的には窒素系キャリアと反応する香料物質、典型的にはアルデヒド又はケトン香料を含むポリマープロ香料；非ポリマー物質、例えば、マイケル付加物（β−アミノケトン類）、シッフ塩基（イミン類）、オキサゾリジン類、β−ケトエステル類、オルトエステル類及び光プロ香料類（photo pro-perfumes）と反応する香料物質を含む非ポリマープロ香料システムが挙げられるが、これらに限定されない。このようなシステムは、ＰＣＴ国際公開特許ＷＯ００／２４７２１、ＰＣＴ国際公開特許ＷＯ０２／８３６２０、並びに米国特許第６，０１３，６１８号及び同第６，４５１，７５１号にさらに記載されている。
【００６７】
１つ以上の香料物質が装填されている無機物質（多孔質ゼオライト、シリカなど）を含む、無機キャリアシステム。このようなシステムは、米国特許第５，９５５，４１９号、同第６，０４８，８３０号、及び同第６，２４５，７３２号にさらに記載されている。
【００６８】
（柔軟化剤）
好適な布地柔軟化剤又は活性物質としては、これらに限定するものではないが、ジエステル四級アンモニウム化合物（ＤＥＱＡ）；ポリ四級アンモニウム化合物；カルボン酸でエステル化され、且つ四級化されたトリエタノールアミン（いわゆる「エステルクアット（esterquat）」；アミノエステルクアット；カチオン性ジエステル；ベタインエステル；環状ポリオール及び／又は還元糖のカチオン性ポリマー（いわゆる「ポリオールポリエステル」又は「セフォーズ（Sefose）」）；アミノシリコーン、カチオン性シリコーン、クアット／シリコーン混合物を含む、シリコーン又はシリコーンエマルション；官能化ＰＤＭＳ；並びにこれらの混合物が挙げられる。
【００６９】
付着助剤は、典型的にはカチオン性部分を含み、また、柔軟化剤と組み合わせて使用することもできる。
【００７０】
四級アンモニウム型の柔軟仕上げ剤の非限定例は、Ｎ，Ｎ−ジメチル−Ｎ，Ｎ−ジ（タローイルオキシエチル）アンモニウムメチルスルフェート、Ｎ−メチル−Ｎ−ヒドロキシエチル−Ｎ，Ｎ−ジ（カノイルオキシエチル）アンモニウムメチルスルフェート及びこれらの混合物から成る群から選択してよい。
【００７１】
非シリコーン布地柔軟化剤及び付着助剤の更なる例は、ＥＰ９０２００９；ＰＣＴ国際公開特許ＷＯ９９／５８４９２；米国特許第４，１３７，１８０号；ＰＣＴ国際公開特許ＷＯ９７／０８２８４；ＰＣＴ国際公開特許ＷＯ００／７０００４；ＰＣＴ国際公開特許ＷＯ００／７０００５；ＰＣＴ国際公開特許ＷＯ０１／４６３６１；ＰＣＴ国際公開特許ＷＯ０１／４６３６３；ＰＣＴ国際公開特許ＷＯ９９／６４６６１；ＰＣＴ国際公開特許ＷＯ９９／６４６６０；ＪＰ１１−３５０３４９；ＪＰ１１−０８１１３４；及びＪＰ１１−０４３８６３に記載されている。シリコーン布地柔軟化剤及び付着助剤の更なる例は、米国特許第４，４４８，８１０号；米国特許第４，８００，０２６号；米国特許第４，８９１，１６６号；米国特許第５，５９３，６１１号；ＥＰ４５９８２１；ＥＰ５３０９７４；ＰＣＴ国際公開特許ＷＯ９２／０１７７３；ＰＣＴ国際公開特許ＷＯ９７／３２９１７；ＰＣＴ国際公開特許ＷＯ００／７１８０６；ＰＣＴ国際公開特許ＷＯ００／７１８０７；ＰＣＴ国際公開特許ＷＯ０１／０７５４６；ＰＣＴ国際公開特許ＷＯ０１／２３３９４；ＪＰ２０００−６４１８０；ＪＰ２０００−１４４１９９；ＪＰ２０００−１７８５８３；及びＪＰ２０００−１９２０７５に記載されている。
【００７２】
（仕上げポリマー）
仕上げポリマー類は、天然又は合成であることができ、被膜を形成すること及び／又は接着特性を提供することにより作用することができる。例えば、本発明は、所望により被膜形成及び／又は接着ポリマーを使用して、布地、特に衣類に形状保持性を付与することができる。「接着」とは、溶液又は分散液として繊維表面に塗布され乾燥した時に、ポリマーがその表面に付着することができることを意味する。ポリマーは、表面上に被膜を形成することができるか、又は２つの繊維の間に存在し、その２つの繊維と接触する時、それら２つの繊維を結合することができる。
【００７３】
市販品として入手可能な仕上げポリマーの非限定的な例は、ＧＡＦケミカルズ社（GAF Chemicals Corporation）から入手可能な分子量約１００，０００のコポリマー９５８（登録商標）及び分子量約１，０００，０００のコポリマー９３７のようなポリビニルピロリドン／ジメチルアミノエチルメタクリレートコポリマー；サンドズケミカルズ社（Sandoz Chemicals Corporation）から入手可能なカータレチン（Cartaretin）Ｆ−４（登録商標）及びＦ−２３のようなアジピン酸／ジメチルアミノヒドロキシプロピルジエチレントリアミンコポリマー；三菱化学社（Mitsubishi Chemicals Corporation）から入手可能なダイアフォーマー（Diaformer）Ｚ−ＳＭ（登録商標）のようなメタクリロイルエチルベタイン／メタクリレートコポリマー；エア・プロダクツ・アンド・ケミカルズ（Air Products and Chemicals）から入手可能なビネックス（Vinex）２０１９又はクラリアント（Clariant）から入手可能なモウェオール（Moweol）（登録商標）のようなポリビニルアルコールコポリマー樹脂；ハーキュレス社（Hercules Incorporated）から入手可能なデルセット（Delsette）１０１（登録商標）のようなアジピン酸／エポキシプロピルジエチレントリアミンコポリマー；サイテックインダストリーズ（Cytec Industries）から入手可能なシプロ（Cypro）５１５（登録商標）のようなポリアミン樹脂；ハーキュレス社から入手可能なキメン（Kymene）５５７Ｈ（登録商標）のようなポリ四級アミン樹脂；並びにＢＡＳＦから入手可能なソカラン（Sokalan）ＥＧ３１０（登録商標）のようなポリビニルピロリドン／アクリル酸である。
【００７４】
好適な仕上げポリマー類の更なる例には、デンプンカルボキシメチルセルロース、ヒドロキシプロピルメチルセルロース、及びこれらの混合物が挙げられるが、これらに限定されない。
【００７５】
（その他の布地処理剤）
好適なＵＶ保護剤の非限定例には、ベンゾピロリドン誘導体（ＰＣＴ国際公開特許ＷＯ００／６５１４２）；退色を遅らせるための犠牲光退色防止及び／又はシンナメート誘導体、例えば二長鎖四級アンモニウム化合物（di-long chain quat）と組み合わせたレバフィクス（levafix）（ＰＣＴ国際公開特許ＷＯ００／００５７７）；アミノナフタレン誘導体：布地染色性日焼け止め剤（ＰＣＴ国際公開特許ＷＯ９９／５０３７９）；セルロースモノアセテートによるＵＶ吸収剤の付着；メトキシシンナメート誘導体（ＰＣＴ国際公開特許ＷＯ００／１８８６１及びＰＣＴ国際公開特許ＷＯ００／１８８６２）；活性付着を高めるためのＰＶＡ及び／又はＳＣＭＣとＵＶ吸収剤とのエステル（ＰＣＴ国際公開特許ＷＯ００／１８８６３）；非イオン性／カチオン性製品中の２エチルヘキシル４メトキシシンナメートの付着（ＰＣＴ国際公開特許ＷＯ９７／４４４２２）；すすぎ製品からのＣｌｏｇＰ＞４のＵＶ吸収剤の付着（ＰＣＴ国際公開特許ＷＯ９７／４４４２４）；カチオン性ＵＶ吸収剤（ＰＣＴ国際公開特許ＷＯ９８／３０６６３）；染色した布地のＵＶ退色を遅らせるためのヒンダードアミンの使用（ＰＣＴ国際公開特許ＷＯ０１／３８４７０及びＰＣＴ国際公開特許ＷＯ０１／０７５５０）；光退色を遅らせるためのカチオン性一重項酸素クエンチャー（ＥＰ８３２９６７）；水溶性日焼け止め剤と組み合わせたＮＣＯ含有ポリマー（ＰＣＴ国際公開特許ＷＯ９８／４９２５９）；すすぎコンディショナー中の酸化防止剤＋チヌビン（米国特許第５，９６２，４０２号）；ベンゾトリアゾールＵＶ吸収剤（米国特許第５，７３３，８５５号）が挙げられる。
【００７６】
好適な移染阻害（ＤＴＩ）剤及び／又は染料固着剤の非限定例としては、布地の色を回復させるためのブラックダイ（black dye）（ＰＣＴ国際公開特許ＷＯ９９／６６０１９）；ＤＴＩ剤としてのビニル−イミダゾール−アクリル酸コポリマー（ＰＣＴ国際公開特許ＷＯ００／１７２９６）；赤色６号の移染を防ぐためのラマＵＨＨ抗体（ＰＣＴ国際公開特許ＷＯ９９／４６３００）；ＤＴＩ剤としてのアクリル／ビニルイミダゾールコポリマー（ＰＣＴ国際公開特許ＷＯ９８／３０６６４）；選ばれたＤＴＩ剤と、キャリア物質としてシリカ又はゼオライトを含有する組成物；クロマボンド（Chromabond）＋ガシル（Gasil）シリカ又はゼオライト；チノフィクス（Tinofix）；バーコフィクス（Burcofix）；ＰＶＰ（Ｎ−ポリビニルピロリドン）；光開始剤；ヒドロキシアセトフェノン；ホスフィンオキシド誘導体；反応性ポリマー（例えば、アミド／エピクロルヒドリン樹脂）及び反応性アニオン性ポリマー、及び染料固着の改善のためのキャリアを含む組成物（ＰＣＴ国際公開特許ＷＯ０１／２５３８６）；ＰＶＰ／ＰＶＩ（Ｎ−ビニルピロリドン／Ｎ−ビニルイミダゾールコポリマー）組成物（米国特許第５，９７７，０４６号及びＰＣＴ国際公開特許ＷＯ９７／２３５９１）；ハイパーブランチポリマー／デンドリマー（ＥＰ８７５５２１）；樹枝状高分子、アミン含有（米国特許第５，８７２，０９３号及びＥＰ７７９３５８）；染料固着効果のためのプロピレンジアミン及びピペラジン（ＰＣＴ国際公開特許ＷＯ００／１５７４５）；繊維の機械的損傷及び染料損失を低減するためのＣＭＣ合成物（ＰＣＴ国際公開特許ＷＯ００／２２０７９、ＰＣＴ国際公開特許ＷＯ００／２２０７８、ＰＣＴ国際公開特許ＷＯ００／２２０７７、及びＰＣＴ国際公開特許ＷＯ００／２２０７５）；染料固着剤としてのジメチルジアリル系ポリマー（ＰＣＴ国際公開特許ＷＯ００／５６８４９）；重合環式アミン（ＰＣＴ国際公開特許ＷＯ９９／１４２９９）；半極性非イオン性物質と合わせたエピクロルヒドリンと環式アミンとのコポリマー（ＰＣＴ国際公開特許ＷＯ０１／３２８１５及びＰＣＴ国際公開特許ＷＯ０１／３２８１６）；ＤＴＩ剤としてのＮ−ビニルイミダゾール／Ｎ−ビニルピロリドンの高分子量ポリマー（ＤＥ１９６２１５０９）；染料固定剤としてのポリカチオン性物質（ＤＥ１９６４３２８１）；染料除去保護剤及び長期香料放出としてのアミノシリコーン（ＰＣＴ国際公開特許ＷＯ９８／３９４０１）、並びにこれらの混合物が挙げられる。
【００７７】
好適なしわ低減及び／又は除去剤の非限定例には、酸化ポリエチレン（ＤＥ１９９２６８６３）；硫酸化ヒマシ油及び／又はエトキシル化シリコーン類及び／又はアミノＰＤＭＳ及び／又はポリアクリルアミド類；マグナソフト（Magnasoft）（登録商標）ＳＲＳ、シルウェット（Silwet）（登録商標）Ｌ−７６２２（ＰＣＴ国際公開特許ＷＯ００／２４８５３及びＰＣＴ国際公開特許ＷＯ００／２４８５７）；エトキシル化ＰＤＭＳ及びアクリルポリマー類（ＰＣＴ国際公開特許ＷＯ００／２７９９１）；高粘度シリコーン油及びエステルクアットのエマルション（ＰＣＴ国際公開特許ＷＯ００／７１８０６）；脂肪族不飽和炭化水素；スクアレン；パラフィン（ＰＣＴ国際公開特許ＷＯ０１／３４８９６）；スチレン−イソプレン又はスチレンブタジエンポリマー類（ＰＣＴ国際公開特許ＷＯ０１／３８６２７）；架橋セルロースへのシリコーンポリマー類の組込み；酸で処理されたセルロースと反応したシリコーンカルボキシレート類又はシラノール含有（ＰＣＴ国際公開特許ＷＯ０１／４４４２６）；ＰＤＭＳを有するアクリル類；アラビノガラクタン類；シリコーンエマルション；イソマルトスクシンアミド類（isomaltosuccinamides）（ＰＣＴ国際公開特許ＷＯ００／２４８５１及びＰＣＴ国際公開特許ＷＯ００／２４８５６及びＰＣＴ国際公開特許ＷＯ００／２４８５８）；天然子葉抽出物（ＰＣＴ国際公開特許ＷＯ０１／０７５５４）；トリアジン又はピリミジン単位及び架橋剤を含有する、セルロース系のしわ取り技術（ＰＣＴ国際公開特許ＷＯ０１／２３６６０）；カチオン性ポリアミド／エピクロルヒドリン樹脂及びシリコーン潤滑剤組成物（ＥＰ１０９６０５６）；シリコーン及び被膜形成ポリマーを含有するしわ低減組成物（ＰＣＴ国際公開特許ＷＯ９６／１５３０９）；非イオン性多価アルコールを含有するしわ低減組成物（ＰＣＴ国際公開特許ＷＯ９９／５５９４８及びＰＣＴ国際公開特許ＷＯ９９／５５９４９）；硬化可能なアミノ官能化シリコーン／布地柔軟化組成物（米国特許第５，１７４，９１２号）；ポリアクリレート／ジヒドロキシエチル尿素（ＰＣＴ国際公開特許ＷＯ０１／１６２６２）、並びにこれらの混合物の使用が挙げられる。これらのしわ低減剤には、布地柔軟化効果ももたらすものがあることが理解される。
【００７８】
布地復元剤及び／又は繊維修復剤の非限定例には、回復剤としてのＮ−アルコキシル化キチン／キトサン（ＤＥ１００１９１４０）；布地復元剤としてのセルロースモノアセテート、例えば様々な有益剤のための付着助剤としてのセルロース系ポリマー類の使用（ＰＣＴ国際公開特許ＷＯ００／１８８６０、ＰＣＴ国際公開特許ＷＯ００／１８８６１、及びＰＣＴ国際公開特許ＷＯ００／１８８６２）；布地復元剤として架橋されたカチオン性ポリアミン／エピクロルヒドリン樹脂；アポマルＳＡＫ（Apomul SAK）（登録商標）（ＰＣＴ国際公開特許ＷＯ０１／２５３８６）；自己架橋可能又はセルロースと反応可能なポリマー物質；反応性ポリウレタンを含むもの（ＰＣＴ国際公開特許ＷＯ０１／２７２３２）；イナゴマメゴムのような低分子量の多糖類（polyssacharide）ガムを含有する組成物、このようなガムは、キシログルカンのような酵素の開裂を通じてその場で（in situ）生成することができる（ＰＣＴ国際公開特許ＷＯ００／４０６８４及びＰＣＴ国際公開特許ＷＯ００／４０６８５）；多糖類／セルロースエステル（アセテート）；特定の置換された復元ポリマー（ＰＣＴ国際公開特許ＷＯ０１／７２９３６及びＰＣＴ国際公開特許ＷＯ０１／７２９４０〜ＰＣＴ国際公開特許ＷＯ０１／７２９４４）；繊維のもつれを防ぐための疎水性化ＣＭＣ（ＰＣＴ国際公開特許ＷＯ００／４２１４４及びＷＯ００／４７７０５）；耐摩耗性のための二塩基酸又はエピクロルヒドリンと架橋した高分子量ＰＥＩ（ＰＣＴ国際公開特許ＷＯ００／４９１２２）；耐摩耗性のためのプロピレンジアミンポリマー誘導体（ＰＣＴ国際公開特許ＷＯ００／４９１２３）；耐摩耗性のためのリシンカプロラクタムポリマー類（ＰＣＴ国際公開特許ＷＯ００／４９１２５）；すすぎコンディショナーから適用される被膜形成セルロースエーテル類（ＰＣＴ国際公開特許ＷＯ００／６５０１５）；繊維の外観のためのリシン／アミン又はアジピン酸コポリマー類（ＰＣＴ国際公開特許ＷＯ９９／０７８１３及びＰＣＴ国際公開特許ＷＯ９９／０７８１４）、並びにこれらの混合物の生成が挙げられる。
【００７９】
好適な形状保持剤の非限定例には、寸法安定性を与えるためにＰＡＥ樹脂（例えば、アポマルＳＡＫ（Apomul SAK））及びシリコーンを含有する組成物（ＰＣＴ国際公開特許ＷＯ００／１５７４７及びＰＣＴ国際公開特許ＷＯ００／１５７４８）；乾燥機用途のための布地形状保持剤としてのカチオン性アミン／エピクロルヒドリン樹脂（ＰＡＥ樹脂）（ＰＣＴ国際公開特許ＷＯ００／１５７５５）；自己架橋可能及びセルロースと反応可能なアニオン性ポリマー類、例えば、カルバモイルスルホネート末端停止ブロック結合イソシアネート；寸法安定性を与えるもの（ＰＣＴ国際公開特許ＷＯ０１／２５３８７）、並びにこれらの混合物が挙げられる。
【００８０】
好適な標的剤の非限定例は、セルロース結合多糖類への大型分子の結合（ＰＣＴ国際公開特許ＷＯ９９／３６４６９）；機能材料への抗体の結合及び布地表面上への吸着（ＰＣＴ国際公開特許ＷＯ０１／４６３６４及びＰＣＴ国際公開特許ＷＯ０１／４８１３５）；抗体結合を通じて粒子に結合したセルロース結合ドメイン（ＣＢＤ）を有するタンパク質、綿への香料含有コアセルベートの促進（ＰＣＴ国際公開特許ＷＯ０１／４６３５７）；ペプチド又はタンパク質付着助剤による布地への有益剤の送達（ＰＣＴ国際公開特許ＷＯ９８／００５００）；模倣セルロース結合ドメイン（mimic cellulose binding domain）に結合した有益剤（ＰＣＴ国際公開特許ＷＯ０１／３４７４３及びＰＣＴ国際公開特許ＷＯ０１／３２８４８）、並びにこれらの混合のような技術において開発されている。
【００８１】
好適な刺激低減剤の非限定例としては、レバー（Lever）四級アンモニウム物質を用いた処理による、洗濯された布地の刺激の低減が挙げられる（ＰＣＴ国際公開特許ＷＯ００／１７２９７）。
【００８２】
好適な変色防止剤の非限定例は、布地漂白中の黄ばみの可能性の低減をもたらすホスホネート化された末端停止ポリアクリレート（ＤＥ１９９０４２３０）が挙げられる。
【００８３】
好適な疎水性仕上げ剤の非限定例には、疎水性仕上げ剤としてのポリリシン（ＤＥ１９９０２５０６）が挙げられる。
【００８４】
好適な抗菌剤の非限定例には、悪臭を隠すための琥珀及びジャコウ臭発臭物質（musk）の組み合わせ（ＰＣＴ国際公開特許ＷＯ９８／５６３３７）；５−クロロサリチルアニリドを含有する抗殺菌（antibacteriocidal）組成物（ＰＣＴ国際公開特許ＷＯ０１／６０１５７）；アミノアルキルシリコーンを含有する抗微生物組成物、改善された表面残留性（ＰＣＴ国際公開特許ＷＯ９６／１９１９４）；抗微生物ポリペプチド（ＰＣＴ国際公開特許ＷＯ９６／２８４６８）；芳香族アルコール類及びフェノール類を含有する抗微生物組成物（ＷＯ９８／０１５２４）；アルコール類の抗微生物活性（ＰＣＴ国際公開特許ＷＯ９７／２１７９５）；良好な抗微生物活性を有するベタイン組成物（ＰＣＴ国際公開特許ＷＯ９７／４３３６８及びＰＣＴ国際公開特許ＷＯ９７／４３３６９）；抗微生物剤としての高ｐＨの非イオン性溶液（ＰＣＴ国際公開特許ＷＯ０１／４４４３０）；織物処理剤の制御放出のためのカプセル（ＤＥ１９９３１３９９）；ベンジルアキルアンモニウム（benzylakylammonium）、亜鉛ＰＴＯ、クリムバゾール（climbazole）を含有する組成物（ＰＣＴ国際公開特許ＷＯ９８／０１５２７）；有効な抗菌組成物としてのアルキルジメチルアンモニウム及びアルコールエトキシレート（ＧＢ２３２２５５２）；臭気中和のためのシクロヘキシルエステル類（ＰＣＴ国際公開特許ＷＯ０１／４３７８４）；アルコキシジスルフィド抗微生物剤（ＥＰ１００８２９６）；抗菌剤としてのブロモフラノン類（ＰＣＴ国際公開特許ＷＯ１／４３７３９）、並びにこれらの混合物が挙げられる。
【００８５】
増白剤は、目に見えない紫外線（ＵＶ）放射エネルギーを吸収し、このエネルギーをより波長の長い放射エネルギーへと変化させる、有機化合物であることができる。用語「増白剤」、「蛍光増白剤」、及び「ホワイトナー」は、交換可能に使用される。増白剤の非限定例には、スチルベン、ピラゾリン、クマリン、カルボン酸メチンシアニン類、ジベンゾチオフェン−５，５−ジオキシド、アゾール類、５員及び６員環複素環などの誘導体が挙げられる。増白剤の例は、「蛍光増白剤の生成及び適用（The Production and Application of Fluorescent Brightening Agents）」、Ｍ．ザフラドニク（M.Zahradnik）、ジョン・ワイリー・アンド・サンズ（John Wiley & Sons）（ニューヨーク）出版（１９８２年）に開示されている。
【００８６】
（浄化方法）
本発明は、布地処理剤を変性することによって、使用済みドライクリーニング溶媒からの布地処理剤の除去を増進させる方法を対象とする。より詳細には、最初の布地処理剤は、変性され得る１以上の官能性部分を含有する。本発明はまた、布地処理剤を変性することによって、使用済みドライクリーニング溶媒からの汚染物質（例えば、布地処理剤、洗濯汚れ）の増進した除去方法を対象とする。変性工程を含む本発明の方法は、同様に、使用済みドライクリーニング溶媒からの洗濯汚れの除去にも適用できることが理解される。
【００８７】
浄化方法は、ドライクリーニング溶媒、少なくとも１つの布地処理剤及び所望により洗濯汚れの混合物を提供する第１の工程を含む。この混合物は、洗濯汚れを含有する布地物品をドライクリーニング溶媒及び布地処理剤を含む布地処理組成物に曝すことによって得ることができる。特定の実施形態において、水が布地処理組成物に存在してもよく、又はこの布地物品処理工程において別個の供給源から布地物品に適用されてもよい。次いで混合物を回収し、本方法の浄化を必要とする混合物として使用できる。使用済み親油性流体を含有する上記混合物を提供する布地物品処理方法には、従来の浸漬洗浄方法、並びに米国特許公開ＵＳ２００２０１３３８８６−Ａ１及びＵＳ２００２０１３３８８５−Ａ１に開示されている非浸漬洗浄方法が挙げられる。
【００８８】
本発明の浄化方法の第２の工程は、最初の布地処理剤の１以上の官能性部分の変性である。布地処理活性物質は、ポリマー物質又は非ポリマー物質であることができる。布地処理剤がポリマーである場合、官能性部分は、ポリマー主鎖又は鎖末端部に位置することができる。より詳細には、この変性工程において、１以上の官能性部分は、変性された布地処理剤がドライクリーニング溶媒中で可溶性が低くなるか、又はドライクリーニング溶媒との相容性が低くなり、従って溶媒からより容易に分離されることができるように、化学変化を受ける。１つの実施形態において、変性された布地処理剤は、最初の布地処理剤よりも親水性である。別の実施形態において、変性された布地処理剤は、最初の布地処理剤よりも小さい分子量を有する。さらに別の実施形態において、変性された布地処理剤は、最初の布地処理剤よりも極性である。さらに別の実施形態において、変性された布地処理剤は、最初の布地処理剤よりも大きい分子量を有する。
【００８９】
本明細書で使用する時、「相容性が低い」又は「可溶性が低い」という用語は、ドライクリーニング溶媒と布地処理剤とのハンセン溶解度パラメータにおける差が、布地処理剤の変性時により大きくなることを意味する。ハンセン（Hansen）溶解度パラメータは、水素結合、極性及び分散の作用の合計に基づき、それらは分子構造により決定されることが知られている。布地処理剤が本発明の化学変性剤によって変性されると、その溶解度パラメータは、濁り、凝集、沈殿などによって示されるように、布地処理剤が溶媒から析出できるように変化する。
【００９０】
本発明の浄化方法の第３の工程は、ドライクリーニング溶媒からの変性された布地処理剤の分離である。好適な分離方法は、以下で本明細書に開示されている。
【００９１】
このようにして浄化されたドライクリーニング溶媒又は組成物は、後に続く布地物品処理サイクルで作用溶媒として使用することができる。本発明の１つの実施形態において、浄化されたドライクリーニング溶媒又は組成物は、収集され、及び／又は再処方され、数回の追加の布地処理サイクルに直ぐに再使用することができ、その後再び浄化方法を経ることが必要となる。本発明の別の実施形態において、浄化されたドライクリーニング溶媒又は組成物は、布地処理システムから除去され、保管され、後に別のシステム又は別の布地処理サイクルで作用溶媒又は組成物として使用することができる。
【００９２】
さらに、本発明の浄化方法は、洗浄システムのインライン（例えば、洗浄サイクルにおける）構成要素を介して、又は布地処理システムの付属（例えば、後布地処理サイクル）構成要素として、溶媒又は組成物に適用されてもよい。
【００９３】
それぞれの浄化サイクルにおいて、浄化された溶媒又は組成物中の布地処理剤の濃度が、後に続く布地物品処理サイクルで作用溶媒として使用される又は作用組成物として再処方される（この浄化方法で除去された及び／又は変性された布地処理活性物質を最初の組成物の濃度に戻す）場合にその性能を損なわないように、十分な量の布地処理剤がドライクリーニング溶媒又は組成物から除去されることが認識される。浄化方法における布地処理剤の除去は、布地処理剤の１００％除去であることができるが、その必要はない。使用済み溶媒又は組成物に存在する布地処理剤の約５０％〜約１００％が除去されれば十分であり得る。布地物品の種類及び布地処理剤の種類は、浄化された溶媒又は組成物にそのクリーニング性能を損なうことなく残存することができる、布地処理剤の濃度に影響を与える要因である。すなわち、浄化された溶媒又は組成物は、１種の布地処理剤を別の種類のものより高い濃度で含んでよい。例えば、染料の濃度は、作用溶媒の約０．０００１重量％〜約０．１重量％、又は約０．００００１重量％〜約０．１重量％、又は約０重量％〜約０．０１重量％で存在してよい。一方、浄化された溶媒中の洗浄性界面活性剤の濃度は、約０．００１％〜約２０％、又は約０．０００１％〜約５％、又は約０％〜約１％であってよい。
【００９４】
（布地処理剤の化学変性）
布地処理剤の１以上の官能性部分を対象とする反応性化学は、いくつかの利点を提供する。第１に、反応性化学は非熱（すなわち蒸留を伴わない）、低温及び周囲圧力条件で実施することができる。第２に、反応化学（例えば酸化）は、布地処理剤上の酸化部位を標的とすることができる。第３に、布地処理剤を可溶性の低い又は相容性の低い種に変換することにより、溶媒から沈殿する可能性があり、従ってデカンテーション、遠心分離などのような既知の技術により容易に除去することができる。変性された布地処理剤が溶媒から容易に沈殿しない場合には、他の技術（例えば、透析）が適用されて分離を促進することができる。
【００９５】
本発明の１つの態様では、親油性流体と、アセタール、ケタール、オルトエステル、エーテル、アミド、イミド及びこれらの組み合わせから成る群から選択される官能性部分を含有する布地ケア剤との混合物は、これらの官能性部分が加水分解を受けて、それにより、布地処理剤を変性形態に変換して、布地処理剤の最初の形態と比較して１つ以上の低分子量種及び／又はより極性のある種にすることができるように、酸に暴露される。変性された布地処理剤は、親油性流体との相容性が低くなり、分離工程でより容易に親油性流体から分離されることができる。官能性部分の変換が以下に図式的に示される。
【化２】
2007526402.tif 000003
【００９６】
本明細書に用いるのに好適な酸類の非限定例には、アンバーリスト−１５、酢酸、シュウ酸、トリフルオロ酢酸、ギ酸、塩酸、硫酸、ｐ−トルエンスルホン酸、及び種々のルイス酸類が挙げられる。
【００９７】
本発明の別の態様では、親油性流体と、エステル、カーボネート、エステル−四級窒素及びこれらの組み合わせから成る群から選択される官能性部分を含有する布地ケア剤の混合物は、これらの官能性部分が加水分解を受けて、それにより、布地処理剤を変性形態に変換して、布地処理剤の最初の形態と比較して１つ以上の低分子量種及び／又はより極性のある種にすることができるように、塩基又は酵素に暴露される。変性された布地処理剤は、親油性流体との相容性が低くなり、分離工程でより容易に親油性流体から分離されることができる。官能性部分の変換が以下に図式的に示される。
【化３】
2007526402.tif 000004
【００９８】
本明細書に用いるのに好適な塩基類の非限定例には、アルカリ及びアルカリ土類金属の重炭酸塩及び炭酸塩、アルカリ及びアルカリ土類金属のヒドロキシ塩類、アルコキシド類、グアニジン、二級及び三級アルキルアミン類が挙げられる。リパーゼ及びエステラーゼのような酵素類は、本発明における加水分解剤としての使用に適している。
【００９９】
本発明のさらに別の態様では、親油性流体と、不飽和Ｃ＝Ｃ結合（例えばアルケニル）である官能性部分を含有する布地ケア剤との混合物は、これらの官能性部分が酸化を受けて、それにより、布地処理剤を変性形態に変換して、布地処理剤の最初の形態と比較して１つ以上の低分子量種及び／又はより極性のある種にすることができるように、酸化剤に暴露される。変性された布地処理剤は、親油性流体との相容性が低くなり、分離工程でより容易に親油性流体から分離されることができる。酸化変換は、化学量論的か又は触媒作用的のいずれかであることができ、オゾン分解、ジヒドロキシル化、エポキシ化、ワッカー反応、及び酸化開裂が挙げられるが、これらに限定されない。官能性部分の変換が以下に図式的に示される。
【化４】
2007526402.tif 000005
【０１００】
代表的な酸化剤としては、オゾン；過硫酸塩類；過ヨウ素酸塩類；過塩素酸塩類；過ホウ酸塩類；ペルオキシ二硫酸塩（peroxydisulfates）類；過酢酸；過酸化水素；二酸化塩素；次亜塩素酸塩類；過マンガン酸塩類；酵素類；及びこれらの混合物が挙げられるが、これらに限定されない。これらの酸化剤のうちのいくつかは、ナトリウムイオン、カリウムイオン、マグネシウムイオン、カルシウムイオンなどのような、アルカリ又はアルカリ土類金属の対イオンを含有する塩形態で汚染混合物に適用されてよい。
【０１０１】
本発明で酸化剤として使用するのに好適な酵素には、モノ−オキシゲナーゼ及びジ−オキシゲナーゼ、アルコールデヒドロゲナーゼ、アルキルスルファターゼ、アンモニアモノ−オギゲナーゼ（ogygenase）、カルボニルレダクターゼ、リパーゼ、リポラーゼ、モノ−メタンオキシゲナーゼ（methanoxigenase）、並びにこれらの混合物が挙げられるが、これらに限定されない。
【０１０２】
本発明のさらに別の態様では、親油性流体と、ヒドロキシル及びアルデヒド基である官能性部分を含有する布地ケア剤との混合物は、これらの官能性部分が酸化を受けて、それにより、布地処理剤を変性形態に変換して、布地処理剤の最初の形態と比較して１つ以上の低分子量種及び／又はより極性のある種にすることができるように、酸化剤に暴露される。変性された布地処理剤は、親油性流体との相容性が低くなり、分離工程でより容易に親油性流体から分離されることができる。官能性部分の変換が以下に図式的に示される。
【化５】
2007526402.tif 000006
【０１０３】
本明細書に用いるのに好適な酸化剤には、過マンガン酸カリウム、四酸化ルテニウム、塩化クロム酸ピリジニウムなどが挙げられるが、これらに限定されない。
【０１０４】
本発明のさらに別の態様では、親油性流体と、プロトン化ヒドロキシル基である官能性部分を含有する布地ケア剤との混合物は、これらの官能性部分が均一及び／又は不均一開裂を受けて、それにより、布地処理剤を変性形態に変換して、布地処理剤の最初の形態と比較して１つ以上の低分子量種及び／又はより極性のある種にすることができるように、放射線エネルギーに暴露される。変性された布地処理剤は、親油性流体との相容性が低くなり、分離工程でより容易に親油性流体から分離されることができる。官能性部分の変換が以下に図式的に示される。
【化６】
2007526402.tif 000007
【０１０５】
本発明のさらに別の態様では、親油性流体と、カルボン酸基、リン酸水素エステルである官能性部分を含有する布地ケア剤との混合物は、これらの官能性部分が中和されて、それにより、布地処理剤を変性形態に変換して、布地処理剤の最初の形態と比較して１つ以上の低分子量種及び／又はより極性のある種にすることができるように、塩基に暴露される。変性された布地処理剤は、親油性流体との相容性が低くなり、分離工程でより容易に親油性流体から分離されることができる。官能性部分の変換が以下に図式的に示される。
【化７】
2007526402.tif 000008
【０１０６】
本明細書に用いるのに好適な代表的な塩基類には、アルカリ及びアルカリ土類金属の重炭酸塩類及び炭酸塩類、アルカリ及びアルカリ土類金属のヒドロキシ及びアルコキシド塩類、三級アミン類及びポリアミン類が挙げられるが、これらに限定されない。
【０１０７】
本発明のさらに別の態様では、親油性流体と、アミノ基である官能性部分を含有する布地ケア剤の混合物は、これらの官能性部分が四級化反応を受けて、それにより、布地処理剤を変性形態に変換して、布地処理剤の最初の形態と比較して１つ以上の低分子量種及び／又はより極性のある種にすることができるように、中和するアルキル化剤に暴露される。変性された布地処理剤は、親油性流体との相容性が低くなり、分離工程でより容易に親油性流体から分離されることができる。官能性部分の変換が以下に図式的に示される。
【化８】
2007526402.tif 000009
【０１０８】
本明細書に用いるのに好適な代表的な中和剤には、鉱酸及び有機酸が挙げられるが、これらに限定されない。本明細書に用いるのに好適なアルキル化剤には、アルキルハライド類、ジメチル又は他のジアルキルスルフェートが挙げられるが、これらに限定されない。
【０１０９】
本発明のなお別の態様において、親油性流体と、アルケニル類、芳香族、アミド、エステル、塩化ビニル、エポキシ及びＳｉ−Ｏ−、Ｓｉ−Ｏ−Ｓｉ、Ｓｉ−ハロゲン（次の化合物で見られる：シロキサン類、シラノール類、ハロシラン類、オルガノアルコキシシラン類、オルガノアミノシラン類、ヒドロシラン類）のような種々のシリコーン結合のような、重合する官能性部分を含有する布地ケア剤との混合物である。１つの例は、不飽和炭素結合を含有する物質が、これらの官能性部分が重合して、それにより、布地処理剤を変性形態に変換して、布地処理剤の最初の形態と比較して１つ以上の高分子量種にすることができるように、反応開始剤（例えば、触媒）及び／又はエネルギー（例えば、紫外線、熱など）に暴露されるところである。変性された布地処理剤は、親油性流体との相容性が低くなり、分離工程でより容易に親油性流体から分離されることができる。官能性部分の変換がエチレンの重合で以下に図示的に示される。
【化９】
2007526402.tif 000010
【０１１０】
本明細書に用いるのに好適な代表的な触媒には、有機及び無機遷移金属錯体、無機及び有機ラジカル触媒、有機及び無機酸及び塩基、水、紫外線、熱、並びにこれらの組み合わせが挙げられるが、これらに限定されない。
【０１１１】
本発明のさらなる態様では、布地処理剤が変性形態に変換され、それが、布地処理剤の最初の形態と比較して１つ以上の低分子量種及び／又はより極性のある種になることができるように、生物剤を親油性流体と布地ケア剤との混合物に添加することができる。変性された布地処理剤は、親油性流体との相容性が低くなり、分離工程でより容易に親油性流体から分離されることができる。
【０１１２】
生物剤には、流出油除去に慣用的に使用される細菌、酵母菌、糸状菌、真菌、原生動物が挙げられるが、これらに限定されない。これらの生物剤は非選択的であり、Ｃ、Ｏ、及びＮ原子の間の結合を消化することができる。
【０１１３】
（分離技術）
変性後、変性された布地処理剤は、沈殿；沈降；遠心分離；デカンテーション；微粒子濾過；膜濾過；吸収剤、吸着剤、光触媒、又はこれらの混合物への暴露；磁気分離；温度変更；液液抽出；及びこれらの組み合わせのようないくつかの周知の技術により溶媒及び／又は組成物から分離されることができる。
【０１１４】
溶媒で不溶性となる変性された布地処理剤は、沈殿、沈降、デカンテーション、遠心分離のような密度及び／又は重力に基づく技術によりドライクリーニング溶媒又は組成物から分離されることができる。
【０１１５】
沈殿は、固体の形成をもたらす相分離によって開始される。その後、１〜４８時間で重力によって固体がバルク溶媒から分離される。加えて、沈殿の形成は、バルク溶媒における光学変化を引き起こし、その結果、バルク溶媒がかすむ（hazy）か、又は曇る（cloudy）。
【０１１６】
沈降は、重力沈殿による液体の流れからの懸濁固体粒子の分離である。また、沈降を使用して、沈殿速度の差に基づいて固体粒子を分離することもできる。
【０１１７】
「デカンテーション」及び「密度グラデーション」は重力型の分離方法である。「デカンタ」は、重力を用いて流れを連続的に２つの液相に分離するために使用される容器として定義される。ストークスの法則を利用して、連続相中の液滴の沈殿速度を導出し、それに応じてデカンタを設計することができる。
【０１１８】
遠心分離は、密度差に基づいて物質を分離する技術であり、その分離速度は、増加する回転力を加えることによって増幅される。この力は、遠心力と呼ばれ、回転力を提供する装置は、遠心分離器と呼ばれる。遠心分離を沈殿又は沈降と組み合わせて使用して、分離を増進及び加速させることができる。
【０１１９】
浄化剤が、アルカリ土類金属カチオン若しくは遷移金属カチオンに基づくカチオン性剤を含有するか、又は磁化可能な形態でカチオン性剤を含有する時には、磁化を使用して、溶媒から変性された汚染物質（すなわち沈殿剤）を除去することができる。
【０１２０】
加えて、混合物の温度低下のような温度変更が、混合物からの汚染物質の分離をさらに増進させることができる。例えば、溶媒又は混合物中の汚染物質の相容性又は溶解性を、温度を下げることにより低下させることができる。他の例では、汚染物質が相変化（例えば、結晶化）を起こし、溶媒又は混合物から沈殿してもよい。
【０１２１】
液体からの固体微粒子、凝集体、又は沈殿剤の除去には、微粒子濾過を使用することができる。例えば、固体含有量の少ない液体を、光学的に透明な液体になるように濾過することができる。カートリッジは、典型的には円筒状の形体であるが、他の形状も許容可能である。カートリッジ内部の濾過材は、プリーツ状又は非プリーツ状、使い捨て又は洗浄可能／再生可能なもののいずれかであることができる。濾材は、通常、プラスチック若しくは金属製品によって支持、及び／又はそれらに一体に結合される。
【０１２２】
膜濾過は、膜を横切る駆動力としての、膜を通過する溶質の移動、又は膜を通過する溶媒の移動を包含する。透析及び浸透は、膜濾過技術の実施形態である。微粒子濾過と対照的に、膜濾過は、低分子量溶質分子又はイオンを、膜全体にわたる濃度勾配、及び任意に圧力勾配により動かして膜を通すことにより、それらを溶液から除去することに有効である。
【０１２３】
本明細書で使用するのに好適な膜は、アルミナ、ジルコニア、チタニア、炭化ケイ素及びこれらの混合物のような多孔質無機物質を含んでよい。本明細書で使用するのに好適な膜は、また、ポリテトラフルオロエチレン；ポリ（フッ化ビニリデン）；ポリプロピレン；ポリエチレン；セルロースエステル類；ポリカーボネート；ポリスルホン／ポリ（エーテルスルホン）；ポリイミド／ポリ（エーテルイミド）；脂肪族ポリアミド；ポリエーテルエーテルケトン；架橋ポリアルキルシロキサン及びこれらの混合物のような有機物質を含んでもよい。好適な膜は、ＧＥＡフィルトレーション（Filtration）又はＧＥオスモニクス社（Osmonics Inc）（ミネソタ州ミネトカ（Minnetoka,MN.））から市販されている。
【０１２４】
低分子量の溶質が、膜を通過するのではなく膜上又は膜内で保持される１つの実施形態では、溶質分子で塩及び他の微細種を交換することによって、溶質を溶媒又は水で洗い流すことができる。従って、膜を再生させることができる。新しい溶媒を繰り返し又は連続的に添加することによって、低分子量溶質を効率的及び急速に流し出す。
【０１２５】
抽出は、ある液体から別の不混和性液体へ、又は固体から液体への１つの化合物若しくは複数の化合物の選択的移動である。前者の方法は、液液抽出と呼ばれ、不混和性液体のような異物が導入されて、（１つ又は複数の）化合物が優先的に移動できる第２相をもたらす。駆動力は、それぞれの液体中の（１つ又は複数の）溶質化合物の分配係数に基づく。この分離技術では、２つの液相中の化合物は、物理的バリアによってではなく、単に境界面（すなわち、化学的バリア）によって分離されるにすぎない。
【０１２６】
ドライクリーニング溶媒から第２相を作り出すために本明細書に用いるのに好適な抽出流体としては、水；直鎖又は分枝鎖、環式又は非環式のアルコール類；直鎖又は分枝鎖、環式又は非環式のジオール類；及びこれらの混合物が挙げられるが、これらに限定されない。
【０１２７】
変性された布地処理剤はまた、混合物を吸収材料、吸着物質、光触媒、又はこれらの混合物に接触させることにより、ドライクリーニング溶媒又は組成物から除去することができる。これらの物質は、固体微粒子／粉末として混合物に添加することができるか、又はカートリッジ若しくは同様の容器内に収容されることができる。
【０１２８】
好適な吸着物質としては、活性炭、粘土、極性剤類、無極性剤類、荷電剤類、ゼオライト類、ナノ粒子類、及びこれらの混合物が挙げられるが、これらに限定されない。
【０１２９】
本明細書で吸着物質として使用するのに好適な極性剤は、次式を有し、
（Ｙａ−Ｏｂ）Ｘ
式中、ＹはＳｉ、Ａｌ、Ｔｉ、Ｐであり；ａは約１〜約５の整数であり；ｂは約１〜約１０の整数であり；Ｘは金属である。１つの実施形態では、本明細書で吸着物質として用いるのに好適な極性剤は、シリカ、珪藻土、アルミノケイ酸塩類、ポリアミド樹脂、アルミナ、ゼオライト類及びこれらの混合物から成る群から選択される。１つの実施形態では、極性剤はシリカであり、より具体的にはシリカゲルである。好適な極性剤としては、日本化学工業株式会社（Nippon Chemical Industries Co.）（日本、東京）から入手可能なシルファム（SILFAM）（登録商標）シリカゲル；及びＷ．Ｒ．グレース（W.R.Grace）（メリーランド州コロンビア）から入手可能なダヴィシル（Davisil）（登録商標）６４６シリカゲルが挙げられる。
【０１３０】
本明細書で吸着物質として用いるのに好適な無極性剤は、ポリスチレン、ポリエチレン、及び／又はジビニルベンゼンのうちの１つ以上を含む。無極性剤は、織布又は不織布ウェブのような繊維性構造の形態であってもよい。好適な無極性剤には、ローム・アンド・ハース（Rohm & Haas）（ペンシルバニア州フィラデルフィア（Philadelphia,PA.））から入手可能なアンバーライト（Amberlite）（登録商標）ＸＡＤ−１６及びＸＡＤ−４が挙げられる。
【０１３１】
本明細書に用いるのに好適な荷電剤は、アニオン性物質、カチオン性物質、双極性物質及びこれらの混合物から成る群から選択される。１つの実施形態では、荷電剤は、次式を有し、
（Ｗ−Ｚ）Ｔ
式中、ＷはＳｉ、Ａｌ、Ｔｉ、Ｐ又はポリマー主鎖であり；Ｚは荷電置換基であり、Ｔはアルカリ、アルカリ土類金属及びこれらの混合物から選択される対イオンである。例えば、Ｔは、ナトリウム、カリウム、アンモニウム、アルキルアンモニウム誘導体、水素イオン；塩化物、水酸化物、フッ化物、ヨウ化物、カルボキシレートなどであってよい。Ｗ部分は、典型的には、約１重量％〜約１５重量％の荷電剤を含む。ポリマー主鎖は、典型的には、ポリスチレン（polystryrene）、ポリエチレン、ポリジビニルベンゼン、ポリアクリル酸、ポリアクリルアミド、多糖類、ポリビニルアルコール、これらのコポリマー及びこれらの混合物から成る群から選択される物質を含む。荷電置換基は、典型的には、スルホネート類、ホスフェート類、四級アンモニウム塩類、及びこれらの混合物を含む。荷電置換基は、アルコール類、ジオール類、カルボキシレート類の塩、一級及び二級アミン類の塩、並びにこれらの混合物を含んでもよい。好適な荷電剤は、ローム・アンド・ハース（Rohm & Haas）（ペンシルバニア州フィラデルフィア（Philadelphi,PA））から名称ＩＲＣ−５０として入手可能である。
【０１３２】
好適な吸収材料には、ヒドロゲル形成吸収材料、又は吸収性ゲル材料（ＡＧＭ：absorbent gelling material）、及びこれらの混合物が挙げられるが、これらに限定されない。
【０１３３】
ヒドロゲル形成吸収性ポリマー類は、また、一般に「ヒドロコロイド」とも呼ばれており、カルボキシメチルデンプン、カルボキシメチルセルロース及びヒドロキシプロピルセルロースのような多糖類；ポリビニルアルコール及びポリビニルエーテルのような非イオン型；ポリビニルピリジン、ポリビニルモルホリニオン（polyvinyl morpholinione）、並びにＮ，Ｎ−ジメチルアミノエチル、又はＮ，Ｎ−ジエチルアミノプロピルアクリレート類及びメタクリレート類のようなカチオン型、並びにこれらそれぞれの四級塩を挙げることができる。それらのコポリマー類は、部分的に中和されていてもよく、わずかに網状に架橋していてもよく、又はその両方でもよい。典型的には、ヒドロゲル形成吸収性ポリマー類は、多数のアニオン性又はカチオン性官能基を有する。これらのポリマー類は、単独で、又は２つ以上の異なるポリマーの混合物で使用することができる。これらのポリマー物質の例は、米国特許第３，６６１，８７５号；同第４，０７６，６６３号；同第４，０９３，７７６号；同第４，６６６，９８３号、及び同第４，７３４，４７８号に開示されている。
【０１３４】
また、他のヒドロゲル形成物質も、本明細書で吸収材料として使用するのに好適である。本明細書に用いるのに好適なこれらのゲルの非限定例は、アクリルアミド類、アクリレート類、アクリロニトリル類、ジアリルアンモニウムクロリド、ジアルキルアンモニウムクロリド、及びその他のモノマー類に基づくものであってよい。いくつかの好適なゲルは、米国特許第４，５５５，３４４号、同第４，８２８，７１０号、及び欧州特許出願ＥＰ６４８，５２１Ａ２に開示されている。
【０１３５】
ヒドロゲル形成ポリマー構成成分は、また、カチオン交換ヒドロゲル形成吸収性ポリマーとアニオン交換ヒドロゲル形成吸収性ポリマーとを含む、混合床式イオン交換組成物の形態であってもよい。このような混合床式イオン交換組成物は、例えば、米国特許出願番号０９／１３０，３２１（アシュラフ（Ashraf）ら、１９９８年１月７日出願）（Ｐ＆Ｇ事例６９７６Ｒ）；及び米国特許第６，１２１，５０９号に記載されている。
【０１３６】
好適な光触媒としては、後で二酸化チタンのような光活性物質が負荷されるゼオライト及び／又はメソ細孔性モレキュラーシーブ物質の構造中に交換される遷移金属原子を含む、半導体光触媒が挙げられるが、これらに限定されない。そのような半導体光触媒は、米国特許第６，５８５，８６３号に記載されている。
【０１３７】
（洗浄システム及び洗浄装置）
本発明は、また、上記の方法で使用するのに好適な洗浄システム及び洗浄装置を含む。洗浄システムは、布地物品処理容器と、ドライクリーニング溶媒リザーバと、所望によりドライクリーニング溶媒中の布地処理剤の濃度を監視するセンサとを含む。布地処理剤の濃度がある所定の値を超えると、ドライクリーニング溶媒が最大布地処理剤保持許容度に達しており、浄化が必要であることを示す。加えて、本発明の浄化方法を実施することができる変性ユニットを含む溶媒浄化／回復装置は、また、システム／装置と一体の部分として提供されてもよい。ただし、そうである必要はない。溶媒浄化／回復ユニットは、ドライクリーニングシステムから分離している、独立型（stand-alone）装置であることができる。
【０１３８】
当業者に公知の好適ないかなる布地物品処理容器をも使用することができる。布地物品処理容器は、洗浄システムの運転の間、処理すべき布地物品を受け取り、保持する。換言すれば、布地物品処理容器は、布地物品がドライクリーニング溶媒と接触している間、布地物品を保持する。好適な布地物品処理容器の非限定例には、商業用洗浄機、家事用、家庭用洗濯機、及び衣類乾燥機器が挙げられる。
【０１３９】
本発明の方法及びシステムは、クリーニングサービス、おむつサービス、制服クリーニングサービスのようなサービス、又はコインランドリー、ドライクリーナー、ホテル、レストラン、コンベンションセンター、空港、観光船、港湾施設、カジノの一部のリネンサービスのような営利事業で使用してもよく、又は家庭で使用してもよい。
【０１４０】
本発明の方法は、改造された既存装置であり、また関連方法に加えて本発明の方法を実施するような形で改良された装置において実施されてよい。
【０１４１】
本発明の方法は、また、本発明及び関連方法を実施するために特別に構築された装置で実施されてもよい。
【０１４２】
さらに、本発明の方法は、ドライクリーニング溶媒処理システムの一部として別の装置に追加されてもよい。これには、化学物質及び水の供給源、並びに廃棄洗浄流体用の下水設備への連結のような、関連する配管が全て含まれる。
【０１４３】
本発明の方法は、また、「デュアルモード」機能が可能な装置で実施されてもよい。「デュアルモード」装置は、同じ容器（すなわちドラム）内で布地の洗浄及び乾燥の両方が可能なものである。水性洗濯プロセス用のデュアルモード装置は、特にヨーロッパで市販されている。加えて、本発明の方法は、また、「バイモード（bi-modal）式」洗浄機能を実施可能な装置で実施されてもよい。「バイモード式」装置は、同じ容器で非水性洗浄及び水性洗浄の両方を実施可能なものであり、２つの洗浄モードを、順次洗浄サイクル又は複合洗浄サイクルで実施することができる。加えて、バイモード式機械は、衣類を別個の機械に移動させる必要なしにそれらを完全に乾燥させることが可能である。すなわち、機械は、バイモード機能並びにデュアルモード機能を持つことができる。
【０１４４】
本発明で使用するのに好適な装置は、典型的には、「スマートコントロールシステム」のような電気的システム、並びにより従来的な電気機械的システムを含む、ある種の制御システムを収容する。制御システムによって、ユーザーは、洗浄すべき布地洗濯物負荷の大きさ、汚れの種類、汚れの程度、洗浄サイクルの時間を選択することができる。あるいは、制御システムは、ユーザーが装置にプログラムした任意の数の確認可能なパラメータに基づいて、予め設定された洗浄及び／若しくはリフレッシュサイクル、又はサイクルの長さの制御を提供する。例えば、ドライクリーニング溶媒の回収速度が安定した速度に達した時に、装置は、一定時間後に自動的に停止するか、又はドライクリーニング溶媒の別のサイクルを開始することができる。
【０１４５】
電気的制御システムの場合、１つの選択肢は、制御デバイスを、自己診断；洗濯物の種類及びサイクル選択；ユーザーが装置を遠隔操作で始動でき、装置が布地物品を洗浄し終えた時にユーザーに通知することができるか、又は装置が正常に機能しない場合には供給元が遠隔操作で問題を診断できるようにするインターネットリンクなどのスマート機能を提供する、いわゆる「スマートデバイス」にすることである。さらに、本発明の装置は、また、いわゆる「スマートシステム」と呼ばれる洗浄システムの一部分であることもでき、そこでは本装置は、洗浄プロセスの残りを完了させる補足的（complimentary）作業を実施する別の洗濯装置（例えば、洗濯機又はドライヤー）と連通する能力を有する。
【０１４６】
本発明の特定の実施形態を例示し説明したが、本発明の精神及び範囲から逸脱することなくその他の様々な変更及び修正を実施できることが、当業者には明白であろう。従って、本発明の範囲内にあるそのような全ての変更及び修正を、添付の特許請求の範囲で扱うものとする。
【０１４７】
特に指定がない限り、本明細書に記載される百分率は全て重量に基づく。本明細書全体を通じて記載される最大数値限定は、それより小さいあらゆる数値限定を、そのようなより小さい数値限定が本明細書に明確に記載されているかのように含むことを理解すべきである。本明細書全体を通じて記載される最小数値限定は、それより大きいあらゆる数値限定を、そのような大きい数値限定が本明細書に明確に記載されているかのように含む。本明細書全体を通じて記載される数値範囲は、そのようなより広い数値範囲内に入るそれよりも狭いあらゆる数値範囲を、そのようなより狭い数値範囲が全て本明細書に明確に記載されているかのように含む。
【０１４８】
引用された文献は、全て、関連部分において参考として本明細書に組み込まれるが、いかなる文献の引用も、それが本発明に関して先行技術であることを承認するものとして解釈されるべきではない。
【国際調査報告】
2007526402.tif 000011
2007526402.tif 000012
2007526402.tif 000013